(57)【要約】本願の実施形態は、通信方法、通信装置、及び通信デバイスを提供する。方法は、プリアンブルを含む物理レイヤプロトコルデータユニットＰＰＤＵを生成することと、ＰＰＤＵを送信することとを含み、プリアンブルは、レガシー物理レイヤプリアンブル及びニュー物理レイヤプリアンブルを含み、ニュー物理レイヤプリアンブルは、繰り返しフィールドを含み、繰り返しフィールドは、周波数領域においてレガシー物理レイヤプリアンブルのプリセットフィールドとの前もってセットされたアウト・オブ・オーダー関係を有しているフィールドである。本願によれば、次世代８０２．１１標準規格におけるＰＰＤＵの物理レイヤプリアンブルの自動検出が実施される。
2021530168.tif 000002
【特許請求の範囲】
【請求項１】
通信方法であって、
プリアンブルを有する物理レイヤプロトコルデータユニットＰＰＤＵを生成することと、
前記ＰＰＤＵを送信することと
を有し、
前記プリアンブルは、レガシー物理レイヤプリアンブル及びニュー物理レイヤプリアンブルを有し、前記ニュー物理レイヤプリアンブルは、繰り返しフィールドを有し、前記繰り返しフィールドは、周波数領域において前記レガシー物理レイヤプリアンブルのプリセットフィールドとの前もってセットされたアウト・オブ・オーダー関係を有しているフィールドである、
方法。
【請求項２】
前記レガシー物理レイヤプリアンブルの前記プリセットフィールドの直交周波数分割多重化ＯＦＤＭシンボルを生成する第１周波数領域処理プロセスは、インターリービング処理を有し、前記繰り返しフィールドのＯＦＤＭシンボルを生成する第２周波数領域処理プロセスは、インターリービング処理を有さず、あるいは、
前記第１周波数領域処理プロセスは、スクランブリング処理を有さず、前記第２周波数領域処理プロセスは、スクランブリング処理を有し、あるいは、
前記第１周波数領域処理プロセスは、データシンボルのアウト・オブ・オーダー処理を有さず、前記第２周波数領域処理プロセスは、データシンボルのアウト・オブ・オーダー処理を有する、
請求項１に記載の方法。
【請求項３】
アウト・オブ・オーダー処理は、次の
データサブキャリアで運ばれたデータシンボルに対して巡回シフトを実行することと、奇数番目及び偶数番目のデータサブキャリアで運ばれたデータシンボルを入れ替えることと、高周波及び低周波データサブキャリアサブセットで運ばれたデータシンボルを入れ替えることと
のうちのいずれか１つを有する、
請求項２に記載の方法。
【請求項４】
２位相偏移変調ＢＰＳＫモードが、前記第２周波数領域処理プロセスにおけるコンステレーション点マッピングのために使用される、
請求項２又は３に記載の方法。
【請求項５】
前記レガシー物理レイヤプリアンブルは、複数の受信端によって復号化可能であり、前記ニュー物理レイヤプリアンブルは、前記複数の受信端の一部によって復号化可能である、
請求項１乃至４のうちいずれか一項に記載の方法。
【請求項６】
前記繰り返しフィールドのためのチャネル符号器へのビット入力は、周波数領域処理プロセスにおける前記レガシー物理レイヤプリアンブルの前記プリセットフィールドのための前記チャネル符号器へのビット入力と同じである、
請求項１乃至５のうちいずれか一項に記載の方法。
【請求項７】
前記レガシー物理レイヤプリアンブルの前記プリセットフィールドは、レガシー信号フィールドＬ−ＳＩＧである、
請求項１乃至６のうちいずれか一項に記載の方法。
【請求項８】
前記繰り返しフィールドは、前記ニュー物理レイヤプリアンブルの１番目のフィールド又は２番目のフィールドである、
請求項１乃至７のうちいずれか一項に記載の方法。
【請求項９】
前記繰り返しフィールドは、前記ニュー物理レイヤプリアンブルの１番目のフィールドであり、該１番目のフィールド以外の前記ニュー物理レイヤプリアンブルのいずれかのフィールドは、コンステレーション点マッピングのために回転ＢＰＳＫモードを使用する、
請求項１乃至７のうちいずれか一項に記載の方法。
【請求項１０】
通信方法であって、
レガシー物理レイヤプリアンブル及びニュー物理レイヤプリアンブルを含むプリアンブルを有する物理レイヤプロトコルデータユニットＰＰＤＵを受信することと、
周波数領域において前記レガシー物理レイヤプリアンブルのプリセットフィールドとの前もってセットされたアウト・オブ・オーダー関係を有しているフィールドである繰り返しフィールドを前記ニュー物理レイヤプリアンブルが有するかどうかを判定することと、
前記ニュー物理レイヤプリアンブルが前記繰り返しフィールドを有する場合に、前記ＰＰＤＵがターゲットＰＰＤＵであると決定することと
を有する方法。
【請求項１１】
前記ニュー物理レイヤプリアンブルが繰り返しフィールドを有するかどうかを判定することは、
前記レガシー物理レイヤプリアンブルの前記プリセットフィールドに対して第１復号化処理プロセスを実行することによって取得される第１情報と、前記繰り返しフィールドに対して第２復号化処理プロセスを実行することによって取得される第２情報との間の類似性を決定することと、
前記類似性が前もってセットされた閾値以上である場合に、前記ニュー物理レイヤプリアンブルが前記繰り返しフィールドを有すると決定し、あるいは、
前記類似性が前もってセットされた閾値に満たない場合に、前記ニュー物理レイヤプリアンブルが前記繰り返しフィールドを有さないと決定することと
を有する、
請求項１０に記載の方法。
【請求項１２】
前記第１復号化処理プロセスは、デインターリービング処理を有し、前記第２復号化処理プロセスは、デインターリービング処理を有さず、あるいは、
前記第１復号化処理プロセスは、デスクランブリング処理を有さず、前記第２復号化処理プロセスは、デスクランブリング処理を有し、あるいは、
前記第１復号化処理プロセスは、データシンボルの非アウト・オブ・オーダー処理を有さず、前記第２復号化処理プロセスは、データシンボルの非アウト・オブ・オーダー処理を有する、
請求項１１に記載の方法。
【請求項１３】
データ処理の非アウト・オブ・オーダー処理は、次の
データサブキャリアで運ばれたデータシンボルに対して巡回シフトを実行することと、奇数番目及び偶数番目のデータサブキャリアで運ばれたデータシンボルを入れ替えることと、高周波及び低周波データサブキャリアサブセットで運ばれたデータシンボルを入れ替えることと
のうちのいずれか１つを有する、
請求項１２に記載の方法。
【請求項１４】
通信方法であって、
プリアンブルを有する物理レイヤプロトコルデータユニットＰＰＤＵを生成することと、
前記ＰＰＤＵを送信することと
を有し、
前記プリアンブルは、レガシー物理レイヤプリアンブル及びニュー物理レイヤプリアンブルを有し、前記ニュー物理レイヤプリアンブルの１番目のフィールドは、前記レガシー物理レイヤプリアンブルのプリセットフィールドと同じであり、前記１番目のフィールド以外の前記ニュー物理レイヤプリアンブルのいずれかのフィールドは、コンステレーション点マッピングのために回転２位相偏移変調ＢＰＳＫモードを使用する、
方法。
【請求項１５】
前記ニュー物理レイヤプリアンブルの２番目のフィールドは、コンステレーション点マッピングのために前記回転ＢＰＳＫモードを使用する、
請求項１４に記載の方法。
【請求項１６】
通信方法であって、
レガシー物理レイヤプリアンブル及びニュー物理レイヤプリアンブルを含むプリアンブルを有する物理レイヤプロトコルデータユニットＰＰＤＵを受信することと、
前記ニュー物理レイヤプリアンブルの１番目のフィールドが前記レガシー物理レイヤプリアンブルのプリセットフィールドと同じであるかどうかと、前記１番目のフィールド以外の前記ニュー物理レイヤプリアンブルのいずれかのフィールドがコンステレーション点マッピングのために回転２位相偏移変調ＢＰＳＫモードを使用するかどうかとを判定することと、
前記ニュー物理レイヤプリアンブルの前記１番目のフィールドが前記レガシー物理レイヤプリアンブルの前記プリセットフィールドと同じであり、かつ、前記１番目のフィールド以外の前記ニュー物理レイヤプリアンブルのいずれかのフィールドがコンステレーション点マッピングのために前記回転ＢＰＳＫモードを使用する場合に、前記ＰＰＤＵがターゲットＰＰＤＵであると決定することと
を有する方法。
【請求項１７】
前記１番目のフィールド以外の前記ニュー物理レイヤプリアンブルのいずれかのフィールドがコンステレーション点マッピングのために回転ＢＰＳＫモードを使用するかどうかを判定することは、
前記ニュー物理レイヤプリアンブルの２番目のフィールドがコンステレーション点マッピングのために前記回転ＢＰＳＫモードを使用するかどうかを判定することを有する、
請求項１６に記載の方法。
【請求項１８】
通信方法であって、
ニュー物理レイヤプリアンブルを有する物理レイヤプロトコルデータユニットＰＰＤＵを生成することと、
前記ＰＰＤＵを送信することと
を有し、
前記ニュー物理レイヤプリアンブルは、プリセットフィールドを有し、前記プリセットフィールドのチェックビットは、データサブキャリアのプリセット位置に位置し、前記プリセット位置は、前記ＰＰＤＵのフレーム構造を示すために使用される、
方法。
【請求項１９】
前記プリセット位置は、前記データサブキャリアの開始位置である、
請求項１８に記載の方法。
【請求項２０】
前記プリセットフィールドは、前記ニュー物理レイヤプリアンブルの１番目のフィールド又は２番目のフィールドである、
請求項１８又は１９に記載の方法。
【請求項２１】
通信方法であって、
ニュー物理レイヤプリアンブルを含むプリアンブルを有する物理レイヤプロトコルデータユニットＰＰＤＵを受信することと、
前記ニュー物理レイヤプリアンブルのプリセットフィールドのチェックビットがデータサブキャリアのプリセット位置に位置するかどうかを判定することであり、前記プリセット位置は、前記ＰＰＤＵがターゲットＰＰＤＵであることを示すために使用される、ことと、
前記ニュー物理レイヤプリアンブルの前記プリセットフィールドの前記チェックビットが前記データサブキャリアの前記プリセット位置に位置する場合に、前記ＰＰＤＵが前記ターゲットＰＰＤＵであると決定することと
を有する方法。
【請求項２２】
前記プリセット位置は、前記データサブキャリアの開始位置である、
請求項２１に記載の方法。
【請求項２３】
前記プリセットフィールドは、前記ニュー物理レイヤプリアンブルの１番目のフィールド又は２番目のフィールドである、
請求項２１又は２２に記載の方法。
【請求項２４】
送信端に使用される通信装置であって、
プリアンブルを有する物理レイヤプロトコルデータユニットＰＰＤＵを生成するよう構成される生成ユニットと、
前記ＰＰＤＵを送信するよう構成される送信ユニットと
を有し、
前記プリアンブルは、レガシー物理レイヤプリアンブル及びニュー物理レイヤプリアンブルを有し、前記ニュー物理レイヤプリアンブルは、繰り返しフィールドを有し、前記繰り返しフィールドは、周波数領域において前記レガシー物理レイヤプリアンブルのプリセットフィールドとの前もってセットされたアウト・オブ・オーダー関係を有しているフィールドである、
通信装置。
【請求項２５】
前記レガシー物理レイヤプリアンブルの前記プリセットフィールドの直交周波数分割多重化ＯＦＤＭシンボルを生成する第１周波数領域処理プロセスは、インターリービング処理を有し、前記繰り返しフィールドのＯＦＤＭシンボルを生成する第２周波数領域処理プロセスは、インターリービング処理を有さず、あるいは、
前記第１周波数領域処理プロセスは、スクランブリング処理を有さず、前記第２周波数領域処理プロセスは、スクランブリング処理を有し、あるいは、
前記第１周波数領域処理プロセスは、データシンボルのアウト・オブ・オーダー処理を有さず、前記第２周波数領域処理プロセスは、データシンボルのアウト・オブ・オーダー処理を有する、
請求項２４に記載の装置。
【請求項２６】
アウト・オブ・オーダー処理は、次の
データサブキャリアで運ばれたデータシンボルに対して巡回シフトを実行することと、奇数番目及び偶数番目のデータサブキャリアで運ばれたデータシンボルを入れ替えることと、高周波及び低周波データサブキャリアサブセットで運ばれたデータシンボルを入れ替えることと
のうちのいずれか１つを有する、
請求項２５に記載の装置。
【請求項２７】
２位相偏移変調ＢＰＳＫモードが、前記第２周波数領域処理プロセスにおけるコンステレーション点マッピングのために使用される、
請求項２５又は２６に記載の装置。
【請求項２８】
前記レガシー物理レイヤプリアンブルは、複数の受信端によって復号化可能であり、前記ニュー物理レイヤプリアンブルは、前記複数の受信端の一部によって復号化可能である、
請求項２４乃至２７のうちいずれか一項に記載の装置。
【請求項２９】
前記繰り返しフィールドのためのチャネル符号器へのビット入力は、周波数領域処理プロセスにおける前記レガシー物理レイヤプリアンブルの前記プリセットフィールドのための前記チャネル符号器へのビット入力と同じである、
請求項２４乃至２８のうちいずれか一項に記載の装置。
【請求項３０】
前記レガシー物理レイヤプリアンブルの前記プリセットフィールドは、レガシー信号フィールドＬ−ＳＩＧである、
請求項２４乃至２９のうちいずれか一項に記載の装置。
【請求項３１】
前記繰り返しフィールドは、前記ニュー物理レイヤプリアンブルの１番目のフィールド又は２番目のフィールドである、
請求項２４乃至３０のうちいずれか一項に記載の装置。
【請求項３２】
前記繰り返しフィールドは、前記ニュー物理レイヤプリアンブルの１番目のフィールドであり、該１番目のフィールド以外の前記ニュー物理レイヤプリアンブルのいずれかのフィールドは、コンステレーション点マッピングのために回転ＢＰＳＫモードを使用する、
請求項２４乃至３０のうちいずれか一項に記載の装置。
【請求項３３】
受信端に使用される通信装置であって、
レガシー物理レイヤプリアンブル及びニュー物理レイヤプリアンブルを含むプリアンブルを有する物理レイヤプロトコルデータユニットＰＰＤＵを受信するよう構成される受信ユニットと、
周波数領域において前記レガシー物理レイヤプリアンブルのプリセットフィールドとの前もってセットされたアウト・オブ・オーダー関係を有しているフィールドである繰り返しフィールドを前記ニュー物理レイヤプリアンブルが有するかどうかを判定し、前記ニュー物理レイヤプリアンブルが前記繰り返しフィールドを有する場合に、前記ＰＰＤＵがターゲットＰＰＤＵであると決定するよう構成される決定ユニットと
を有する通信装置。
【請求項３４】
前記決定ユニットは、
前記レガシー物理レイヤプリアンブルの前記プリセットフィールドに対して第１復号化処理プロセスを実行することによって取得される第１情報と、前記繰り返しフィールドに対して第２復号化処理プロセスを実行することによって取得される第２情報との間の類似性を決定し、
前記類似性が前もってセットされた閾値以上である場合に、前記ニュー物理レイヤプリアンブルが前記繰り返しフィールドを有すると決定し、あるいは、前記類似性が前もってセットされた閾値に満たない場合に、前記ニュー物理レイヤプリアンブルが前記繰り返しフィールドを有さないと決定する
よう特に構成される、
請求項３３に記載の装置。
【請求項３５】
前記第１復号化処理プロセスは、デインターリービング処理を有し、前記第２復号化処理プロセスは、デインターリービング処理を有さず、あるいは、
前記第１復号化処理プロセスは、デスクランブリング処理を有さず、前記第２復号化処理プロセスは、デスクランブリング処理を有し、あるいは、
前記第１復号化処理プロセスは、データシンボルの非アウト・オブ・オーダー処理を有さず、前記第２復号化処理プロセスは、データシンボルの非アウト・オブ・オーダー処理を有する、
請求項３４に記載の装置。
【請求項３６】
データ処理の非アウト・オブ・オーダー処理は、次の
データサブキャリアで運ばれたデータシンボルに対して巡回シフトを実行することと、奇数番目及び偶数番目のデータサブキャリアで運ばれたデータシンボルを入れ替えることと、高周波及び低周波データサブキャリアサブセットで運ばれたデータシンボルを入れ替えることと
のうちのいずれか１つを有する、
請求項３５に記載の装置。
【請求項３７】
送信端に使用される通信装置であって、
プリアンブルを有する物理レイヤプロトコルデータユニットＰＰＤＵを生成するよう構成される生成ユニットと、
前記ＰＰＤＵを送信するよう構成される送信ユニットと
を有し、
前記プリアンブルは、レガシー物理レイヤプリアンブル及びニュー物理レイヤプリアンブルを有し、前記ニュー物理レイヤプリアンブルの１番目のフィールドは、前記レガシー物理レイヤプリアンブルのプリセットフィールドと同じであり、前記１番目のフィールド以外の前記ニュー物理レイヤプリアンブルのいずれかのフィールドは、コンステレーション点マッピングのために回転２位相偏移変調ＢＰＳＫモードを使用する、
通信装置。
【請求項３８】
前記ニュー物理レイヤプリアンブルの２番目のフィールドは、コンステレーション点マッピングのために前記回転ＢＰＳＫモードを使用する、
請求項３７に記載の装置。
【請求項３９】
受信端に使用される通信装置であって、
レガシー物理レイヤプリアンブル及びニュー物理レイヤプリアンブルを含むプリアンブルを有する物理レイヤプロトコルデータユニットＰＰＤＵを受信するよう構成される受信ユニットと、
前記ニュー物理レイヤプリアンブルの１番目のフィールドが前記レガシー物理レイヤプリアンブルのプリセットフィールドと同じであるかどうかと、前記１番目のフィールド以外の前記ニュー物理レイヤプリアンブルのいずれかのフィールドがコンステレーション点マッピングのために回転２位相偏移変調ＢＰＳＫモードを使用するかどうかとを判定し、前記ニュー物理レイヤプリアンブルの前記１番目のフィールドが前記レガシー物理レイヤプリアンブルの前記プリセットフィールドと同じであり、かつ、前記１番目のフィールド以外の前記ニュー物理レイヤプリアンブルのいずれかのフィールドがコンステレーション点マッピングのために前記回転ＢＰＳＫモードを使用する場合に、前記ＰＰＤＵがターゲットＰＰＤＵであると決定するよう構成される決定ユニットと
を有する通信装置。
【請求項４０】
前記決定ユニットは、
前記ニュー物理レイヤプリアンブルの２番目のフィールドがコンステレーション点マッピングのために前記回転ＢＰＳＫモードを使用するかどうかを判定するよう特に構成される、
請求項３９に記載の装置。
【請求項４１】
送信端に使用される通信装置であって、
ニュー物理レイヤプリアンブルを有する物理レイヤプロトコルデータユニットＰＰＤＵを生成するよう構成される生成ユニットと、
前記ＰＰＤＵを送信するよう構成される送信ユニットと
を有し、
前記ニュー物理レイヤプリアンブルは、プリセットフィールドを有し、前記プリセットフィールドのチェックビットは、データサブキャリアのプリセット位置に位置し、前記プリセット位置は、前記ＰＰＤＵのフレーム構造を示すために使用される、
通信装置。
【請求項４２】
前記プリセット位置は、前記データサブキャリアの開始位置である、
請求項４１に記載の装置。
【請求項４３】
前記プリセットフィールドは、前記ニュー物理レイヤプリアンブルの１番目のフィールド又は２番目のフィールドである、
請求項４１又は４２に記載の装置。
【請求項４４】
受信端に使用される通信装置であって、
ニュー物理レイヤプリアンブルを含むプリアンブルを有する物理レイヤプロトコルデータユニットＰＰＤＵを受信するよう構成される受信ユニットと、
前記ニュー物理レイヤプリアンブルのプリセットフィールドのチェックビットがデータサブキャリアのプリセット位置に位置するかどうかを判定し、前記プリセット位置は、前記ＰＰＤＵがターゲットＰＰＤＵであることを示すために使用され、前記ニュー物理レイヤプリアンブルの前記プリセットフィールドの前記チェックビットが前記データサブキャリアの前記プリセット位置に位置する場合に、前記ＰＰＤＵが前記ターゲットＰＰＤＵであると決定するよう構成される決定ユニットと
を有する通信装置。
【請求項４５】
前記プリセット位置は、前記データサブキャリアの開始位置である、
請求項４４に記載の装置。
【請求項４６】
前記プリセットフィールドは、前記ニュー物理レイヤプリアンブルの１番目のフィールド又は２番目のフィールドである、
請求項４４又は４５に記載の装置。
【請求項４７】
プロセッサ、メモリ、及び通信インターフェースを有し、
前記プロセッサは、前記通信インターフェースの送信及び受信動作を制御し、
前記メモリは、プログラムを記憶し、
前記プロセッサは、請求項１乃至９のうちいずれか一項、請求項１４若しくは１５、又は請求項１８乃至２０のうちいずれか一項に記載の方法を実行するように、前記メモリに記憶されている前記プログラムを呼び出す、
通信デバイス。
【請求項４８】
プロセッサ、メモリ、及び通信インターフェースを有し、
前記プロセッサは、前記通信インターフェースの送信及び受信動作を制御し、
前記メモリは、プログラムを記憶し、
前記プロセッサは、請求項１０乃至１３のうちいずれか一項、請求項１６若しくは１７、又は請求項２１乃至２３のうちいずれか一項に記載の方法を実行するように、前記メモリに記憶されている前記プログラムを呼び出す、
通信デバイス。
【請求項４９】
コンピュータプログラムを記憶し、該コンピュータプログラムがプロセッサによって実行される場合に、請求項１乃至２３のうちいずれか一項に記載の方法が実施される、
記憶媒体。
【発明の詳細な説明】
【技術分野】
【０００１】
本願は、通信技術の分野に、特に、通信方法、通信装置、及び通信デバイスに関係がある。
【背景技術】
【０００２】
８０２．１１シリーズの標準規格は、電気電子技術者協会（institute  of  electrical  and  electronics  engineers，ＩＥＥＥ）によって定義され、無線ローカル・エリア・ネットワークのために広く使用されている。８０２．１１シリーズの標準規格における主流の標準規格には、８０２．１１ａ、８０２．１１ｎ、８０２．１１ａｃ、８０２．１１ａｘ、などがある。
【０００３】
次世代の８０２．１１標準規格も、後方互換性を考慮して、８０２．１１ａｘ標準規格の２．４ＧＨｚ、５ＧＨｚ、及び６ＧＨｚの周波数帯域などの動作スペクトルをサポートする。近年開放されたフリー６ＧＨｚ周波数帯域に基づいてチャネル分割が実行され、サポートされ得る帯域幅は、５ＧＨｚ周波数帯域でサポートされている１６０ＭＨｚの最大帯域幅を超えることがあり、例えば、２４０ＭＨｚ、３２０ＭＨｚ、又は４００ＭＨｚがある。超高帯域幅をサポートすることに加えて、次世代の８０２．１１標準規格は、ピークスループットを増大させるように、複数の周波数帯域（２．４ＧＨｚ、５ＧＨｚ、及び６ＧＨｚ）の組み合わせ及びより多くの空間ストリームもサポートすることができ、例えば、空間ストリームの数を１６に増やすことができる。
【０００４】
加えて、次世代の８０２．１１標準規格における従来のＷｉ−Ｆｉデバイスとの互換性を考慮して、物理レイヤプロトコルデータユニット（PHY  protocol  data  unit，ＰＰＤＵ）のフレーム構造は、通常はレガシー物理レイヤプリアンブルから始まり、レガシー物理レイヤプリアンブルの直ぐ後にニュー物理レイヤプリアンブルが続く。ニュー物理レイヤプリアンブルは、次世代の８０２．１１標準規格を実施するための新機能指示、例えば、超高帯域幅に関する帯域幅指示を含んでよい。８０２．１１ａ標準規格以外の８０２．１１標準規格の各世代におけるニュー物理レイヤプリアンブルは、受信端が、ニュー物理レイヤプリアンブルに基づいて、受信されたＰＰＤＵのフレーム構造が、それらの標準規格の対応する世代に基づき生成されているＰＰＤＵのフレーム構造であるかどうかを判定することができるような情報を運ぶ。これは、自動検出と呼ばれる。自動検出は、次の２つの意味を含む。１つの側面では、受信端は、現世代の標準規格に基づき生成されているＰＰＤＵとして、その現世代の標準規格に基づき生成されている受信されたＰＰＤＵを正確に決定するが、受信されたＰＰＤＵを、現世代でない標準規格に基づき生成されているＰＰＤＵとして決定しない。他の側面では、受信端は、現世代の標準規格に基づき生成されているＰＰＤＵとして、現世代でない標準規格に基づき生成されている受信されたＰＰＤＵを決定しない。例えば、８０２．１１ｎの受信端が８０２．１１ｎのＰＰＤＵを受信する場合に、８０２．１１ｎの受信端は、受信されたＰＰＤＵを８０２．１１ｎのＰＰＤＵとして正確に決定し、受信端が８０２．１１ａ  ＰＰＤＵを受信する場合に、受信端は、受信されたＰＰＤＵを８０２．１１ｎのＰＰＤＵとして決定しない。
【０００５】
従って、自動検出の問題は、次世代の８０２．１１標準規格のＰＰＤＵの物理レイヤプリアンブルの設計において依然として存在している。
【発明の概要】
【０００６】
本願の実施形態は、次世代の８０２．１１標準規格のＰＰＤＵの物理レイヤプリアンブルの設計において依然として存在している自動検出の現在の技術的課題を解決するよう、通信方法、通信装置、及び通信デバイスを提供する。
【０００７】
第１の態様に従って、本願の実施形態は、通信方法を提供する。方法は、
プリアンブルを含む物理レイヤプロトコルデータユニットＰＰＤＵを生成することと、
ＰＰＤＵを送信することと
を含み、
プリアンブルは、レガシー物理レイヤプリアンブル及びニュー物理レイヤプリアンブルを含み、ニュー物理レイヤプリアンブルは、繰り返しフィールドを含み、繰り返しフィールドは、周波数領域においてレガシー物理レイヤプリアンブルのプリセットフィールドとの前もってセットされたアウト・オブ・オーダー関係を有しているフィールドである。
【０００８】
上記の解決法で、繰り返しフィールドとレガシー物理レイヤプリアンブルのプリセットフィールドとの間には、前もってセットされたアウト・オブ・オーダー関係が存在し、ＰＰＤＵが次世代ＰＰＤＵであることを自動的に検出するための情報は、ＰＰＤＵにおいて運ばれる。
【０００９】
可能な実施設計で、レガシー物理レイヤプリアンブルのプリセットフィールドの直交周波数分割多重化ＯＦＤＭシンボルを生成する第１周波数領域処理プロセスは、インターリービング処理を含み、繰り返しフィールドのＯＦＤＭシンボルを生成する第２周波数領域処理プロセスは、インターリービング処理を含まない。
【００１０】
上記の解決法で、レガシー物理レイヤプリアンブルのプリセットフィールドのＯＦＤＭシンボルを生成する第１周波数領域処理プロセスは、インターリービング処理を含み、繰り返しフィールドのＯＦＤＭシンボルを生成する第２周波数領域処理プロセスは、インターリービング処理を含まず、それにより、前もってセットされたアウト・オブ・オーダー関係が、繰り返しフィールドとレガシー物理レイヤプリアンブルのプリセットフィールドとの間に存在する。
【００１１】
可能な実施設計で、第１周波数領域処理プロセスは、スクランブリング処理を含まず、第２周波数領域処理プロセスは、スクランブリング処理を含む。
【００１２】
上記の解決法で、レガシー物理レイヤプリアンブルのプリセットフィールドのＯＦＤＭシンボルを生成する第１周波数領域処理プロセスは、スクランブリング処理を含まず、繰り返しフィールドのＯＦＤＭシンボルを生成する第２周波数領域処理プロセスは、スクランブリング処理を含み、それにより、前もってセットされたアウト・オブ・オーダー関係が、繰り返しフィールドとレガシー物理レイヤプリアンブルのプリセットフィールドとの間に存在する。
【００１３】
可能な実施設計で、第１周波数領域処理プロセスは、データシンボルのアウト・オブ・オーダー処理を含まず、第２周波数領域処理プロセスは、データシンボルのアウト・オブ・オーダー処理を含む。
【００１４】
上記の解決法で、レガシー物理レイヤプリアンブルのプリセットフィールドのＯＦＤＭシンボルを生成する第１周波数領域処理プロセスは、アウト・オブ・オーダー処理を含まず、繰り返しフィールドのＯＦＤＭシンボルを生成する第２周波数領域処理プロセスは、呪符同処理を含み、それにより、前もってセットされたアウト・オブ・オーダー関係が、繰り返しフィールドとレガシー物理レイヤプリアンブルのプリセットフィールドとの間に存在する。
【００１５】
可能な実施設計で、アウト・オブ・オーダー処理は、次の
データサブキャリアで運ばれたデータシンボルに対して巡回シフトを実行することと、奇数番目及び偶数番目のデータサブキャリアで運ばれたデータシンボルを入れ替えることと、高周波及び低周波データサブキャリアサブセットで運ばれたデータシンボルを入れ替えることと
のうちのいずれか１つを含む。
【００１６】
可能な実施設計で、２位相偏移変調ＢＰＳＫモードが、第２周波数領域処理プロセスにおけるコンステレーション点マッピングのために使用される。
【００１７】
上記の解決法で、ＢＰＳＫモードは、第２周波数領域処理プロセスにおけるコンステレーション点マッピングのために使用される。これは、次の場合を回避することができる：８０２．１１ｎの受信端は、Ｌ−ＳＩＧに続く１番目のＯＦＤＭフィールドがコンステレーション点マッピングのためにＱＢＰＳＫを使用することに基づいて、次世代ＰＰＤＵがＨＴ  ＰＰＤＵであると決定し、その結果、８０２．１１ｎの受信端は、ニュー物理レイヤプリアンブルの１番目のフィールドを不正確に復号し、例えば、８０２．１１ｎの受信端は巡回冗長検査を実行することができず、更には、８０２．１１ｎの受信端は、サイレント期間に入るようＬ−ＳＩＧの長さフィールドに従わない。結果として、この挙動は、伝送中であるＰＰＤＵと干渉する可能性がある。
【００１８】
可能な実施設計で、レガシー物理レイヤプリアンブルは、複数の受信端によって復号化可能であり、ニュー物理レイヤプリアンブルは、複数の受信端の一部によって復号化可能である。
【００１９】
可能な実施設計で、繰り返しフィールドのためのチャネル符号器へのビット入力は、周波数領域処理プロセスにおけるレガシー物理レイヤプリアンブルのプリセットフィールドのためのチャネル符号器へのビット入力と同じである。
【００２０】
可能な実施設計で、レガシー物理レイヤプリアンブルのプリセットフィールドは、レガシー信号フィールドＬ−ＳＩＧである。
【００２１】
可能な実施設計で、繰り返しフィールドは、ニュー物理レイヤプリアンブルの１番目のフィールド又は２番目のフィールドである。
【００２２】
可能な実施設計で、繰り返しフィールドは、ニュー物理レイヤプリアンブルの１番目のフィールドであり、１番目のフィールド以外のニュー物理レイヤプリアンブルのいずれかのフィールドは、コンステレーション点マッピングのために回転ＢＰＳＫモードを使用する。
【００２３】
上記の解決法で、繰り返しフィールドは、ニュー物理レイヤプリアンブルの１番目のフィールドであり、１番目のフィールド以外のニュー物理レイヤプリアンブルのいずれかのフィールドは、コンステレーション点マッピングのために回転ＢＰＳＫモードを使用する。このようにして、繰り返しフィールドが自動検出情報を運ぶことに基づいて、自動検出情報は、回転ＢＰＳＫモードを使用することによって更に運ばれる。これは、受信端によってＰＰＤＵを決定する制度を改善する。
【００２４】
第２の態様に従って、本願の実施形態は、通信方法を提供する。方法は、
レガシー物理レイヤプリアンブル及びニュー物理レイヤプリアンブルを含むプリアンブルを含む物理レイヤプロトコルデータユニットＰＰＤＵを受信することと、
周波数領域においてレガシー物理レイヤプリアンブルのプリセットフィールドとの前もってセットされたアウト・オブ・オーダー関係を有しているフィールドである繰り返しフィールドをニュー物理レイヤプリアンブルが含むかどうかを判定することと、
ニュー物理レイヤプリアンブルが繰り返しフィールドを含む場合に、ＰＰＤＵがターゲットＰＰＤＵであると決定することと
を含む。
【００２５】
上記の解決法では、周波数領域においてレガシー物理レイヤプリアンブルのプリセットフィールドとの前もってセットされたアウト・オブ・オーダー関係を有しているフィールドである繰り返しフィールドをニュー物理レイヤプリアンブルが含むかどうかが判定される。ニュー物理レイヤプリアンブルが繰り返しフィールドを含む場合に、ＰＰＤＵはターゲットＰＰＤＵ、すなわち、次世代ＰＰＤＵであると決定される。このようにして、受信端は、繰り返しフィールドとレガシー物理レイヤプリアンブルのプリセットフィールドとの間の前もってセットされたアウト・オブ・オーダー関係に基づいて、ＰＰＤＵが次世代ＰＰＤＵであると決定する。
【００２６】
可能な実施設計で、ニュー物理レイヤプリアンブルが繰り返しフィールドを含むかどうかを判定することは、
レガシー物理レイヤプリアンブルのプリセットフィールドに対して第１復号化処理プロセスを実行することによって取得される第１情報と、繰り返しフィールドに対して第２復号化処理プロセスを実行することによって取得される第２情報との間の類似性を決定することと、
類似性が前もってセットされた閾値以上である場合に、ニュー物理レイヤプリアンブルが繰り返しフィールドを含むと決定し、あるいは、
類似性が前もってセットされた閾値に満たない場合に、ニュー物理レイヤプリアンブルが繰り返しフィールドを含まないと決定することと
を含む。
【００２７】
可能な実施設計で、第１復号化処理プロセスは、デインターリービング処理を含み、第２復号化処理プロセスは、デインターリービング処理を含まず、あるいは、
第１復号化処理プロセスは、デスクランブリング処理を含まず、第２復号化処理プロセスは、デスクランブリング処理を含み、あるいは、
第１復号化処理プロセスは、データシンボルの非アウト・オブ・オーダー処理を含まず、第２復号化処理プロセスは、データシンボルの非アウト・オブ・オーダー処理を含む。
【００２８】
可能な実施設計で、データ処理の非アウト・オブ・オーダー処理は、次の
データサブキャリアで運ばれたデータシンボルに対して巡回シフトを実行することと、奇数番目及び偶数番目のデータサブキャリアで運ばれたデータシンボルを入れ替えることと、高周波及び低周波データサブキャリアサブセットで運ばれたデータシンボルを入れ替えることと
のうちのいずれか１つを含む。
【００２９】
第３の態様に従って、本願の実施形態は、通信方法を提供する。方法は、
プリアンブルを含む物理レイヤプロトコルデータユニットＰＰＤＵを生成することと、
ＰＰＤＵを送信することと
を含み、
プリアンブルは、レガシー物理レイヤプリアンブル及びニュー物理レイヤプリアンブルを含み、ニュー物理レイヤプリアンブルの１番目のフィールドは、レガシー物理レイヤプリアンブルのプリセットフィールドと同じであり、１番目のフィールド以外のニュー物理レイヤプリアンブルのいずれかのフィールドは、コンステレーション点マッピングのために回転２位相偏移変調ＢＰＳＫモードを使用する。
【００３０】
上記の解決法で、ニュー物理レイヤプリアンブルの１番目のフィールドは、レガシー物理レイヤプリアンブルのプリセットフィールドと同じであり、１番目のフィールド以外のニュー物理レイヤプリアンブルのいずれかのフィールドは、コンステレーション点マッピングのために回転２位相偏移変調ＢＰＳＫモードを使用する。このようにして、ＰＰＤＵは、ＰＰＤＵが次世代ＰＰＤＵであると自動的に検出するための情報を運ぶ。
【００３１】
可能な実施設計で、ニュー物理レイヤプリアンブルの２番目のフィールドは、コンステレーション点マッピングのために回転ＢＰＳＫモードを使用する。
【００３２】
第４の態様に従って、本願の実施形態は、通信方法を提供する。方法は、
レガシー物理レイヤプリアンブル及びニュー物理レイヤプリアンブルを含むプリアンブルを含む物理レイヤプロトコルデータユニットＰＰＤＵを受信することと、
ニュー物理レイヤプリアンブルの１番目のフィールドがレガシー物理レイヤプリアンブルのプリセットフィールドと同じであるかどうかと、１番目のフィールド以外のニュー物理レイヤプリアンブルのいずれかのフィールドがコンステレーション点マッピングのために回転２位相偏移変調ＢＰＳＫモードを使用するかどうかとを判定することと、
ニュー物理レイヤプリアンブルの１番目のフィールドがレガシー物理レイヤプリアンブルのプリセットフィールドと同じであり、かつ、１番目のフィールド以外のニュー物理レイヤプリアンブルのいずれかのフィールドがコンステレーション点マッピングのために回転ＢＰＳＫモードを使用する場合に、ＰＰＤＵがターゲットＰＰＤＵであると決定することと
を含む。
【００３３】
上記の解決法では、ニュー物理レイヤプリアンブルの１番目のフィールドがレガシー物理レイヤプリアンブルのプリセットフィールドと同じであるかどうかと、１番目のフィールド以外のニュー物理レイヤプリアンブルのいずれかのフィールドがコンステレーション点マッピングのために回転２位相偏移変調ＢＰＳＫモードを使用するかどうかとが判定される。ニュー物理レイヤプリアンブルの１番目のフィールドがレガシー物理レイヤプリアンブルのプリセットフィールドと同じであり、かつ、１番目のフィールド以外のニュー物理レイヤプリアンブルのいずれかのフィールドがコンステレーション点マッピングのために回転ＢＰＳＫモードを使用する場合に、ＰＰＤＵはターゲットＰＰＤＵ、すなわち、次世代ＰＰＤＵであると決定される。このようにして、受信端は、繰り返しフィールドとレガシー物理レイヤプリアンブルのプリセットフィールドとの間の前もってセットされたアウト・オブ・オーダー関係に基づいて、ＰＰＤＵが次世代ＰＰＤＵであると決定する。
【００３４】
可能な実施設計で、１番目のフィールド以外のニュー物理レイヤプリアンブルのいずれかのフィールドがコンステレーション点マッピングのために回転ＢＰＳＫモードを使用するかどうかを判定することは、
ニュー物理レイヤプリアンブルの２番目のフィールドがコンステレーション点マッピングのために回転ＢＰＳＫモードを使用するかどうかを判定することを含む。
【００３５】
第５の態様に従って、本願の実施形態は、通信方法を提供する。方法は、
ニュー物理レイヤプリアンブルを含む物理レイヤプロトコルデータユニットＰＰＤＵを生成することと、
ＰＰＤＵを送信することと
を含み、
ニュー物理レイヤプリアンブルは、プリセットフィールドを含み、プリセットフィールドのチェックビットは、データサブキャリアのプリセット位置に位置し、プリセット位置は、ＰＰＤＵのフレーム構造を示すために使用される。
【００３６】
上記の解決法で、ニュー物理レイヤプリアンブルは、プリセットフィールドを含み、プリセットフィールドのチェックビットは、データサブキャリアのプリセット位置に位置し、プリセット位置は、ＰＰＤＵのフレーム構造を示すために使用される。このようにして、ＰＰＤＵは、ＰＰＤＵが次世代ＰＰＤＵであることを自動的に検出するための情報を運ぶ。
【００３７】
可能な実施設計で、プリセット位置は、データサブキャリアの開始位置である。
【００３８】
可能な実施設計で、プリセットフィールドは、ニュー物理レイヤプリアンブルの１番目のフィールド又は２番目のフィールドである。
【００３９】
第６の態様に従って、本願の実施形態は、通信方法を提供する。方法は、
ニュー物理レイヤプリアンブルを含むプリアンブルを含む物理レイヤプロトコルデータユニットＰＰＤＵを受信することと、
ニュー物理レイヤプリアンブルのプリセットフィールドのチェックビットがデータサブキャリアのプリセット位置に位置するかどうかを判定することであり、プリセット位置は、ＰＰＤＵがターゲットＰＰＤＵであることを示すために使用される、ことと、
ニュー物理レイヤプリアンブルのプリセットフィールドのチェックビットがデータサブキャリアのプリセット位置に位置する場合に、ＰＰＤＵがターゲットＰＰＤＵであると決定することと
を含む。
【００４０】
上記の解決法では、ニュー物理レイヤプリアンブルのプリセットフィールドのチェックビットがデータサブキャリアのプリセット位置に位置するかどうかが判定され、プリセット位置は、ＰＰＤＵがターゲットＰＰＤＵであることを示すために使用される。ニュー物理レイヤプリアンブルのプリセットフィールドのチェックビットがデータサブキャリアのプリセット位置に位置する場合に、ＰＰＤＵはターゲットＰＰＤＵ、すなわち、次世代ＰＰＤＵであると決定される。このようにして、受信端は、繰り返しフィールドとレガシー物理レイヤプリアンブルのプリセットフィールドとの間の前もってセットされたアウト・オブ・オーダー関係に基づいて、ＰＰＤＵが次世代ＰＰＤＵであると決定する。
【００４１】
可能な実施設計で、プリセット位置は、データサブキャリアの開始位置である。
【００４２】
可能な実施設計で、プリセットフィールドは、ニュー物理レイヤプリアンブルの１番目のフィールド又は２番目のフィールドである。
【００４３】
第７の態様に従って、本願の実施形態は、送信端に使用される通信装置を提供する。通信装置は、
プリアンブルを含む物理レイヤプロトコルデータユニットＰＰＤＵを生成するよう構成される生成ユニットと、
ＰＰＤＵを送信するよう構成される送信ユニットと
を含み、
プリアンブルは、レガシー物理レイヤプリアンブル及びニュー物理レイヤプリアンブルを含み、ニュー物理レイヤプリアンブルは、繰り返しフィールドを含み、繰り返しフィールドは、周波数領域においてレガシー物理レイヤプリアンブルのプリセットフィールドとの前もってセットされたアウト・オブ・オーダー関係を有しているフィールドである。
【００４４】
可能な実施設計で、レガシー物理レイヤプリアンブルのプリセットフィールドの直交周波数分割多重化ＯＦＤＭシンボルを生成する第１周波数領域処理プロセスは、インターリービング処理を含み、繰り返しフィールドのＯＦＤＭシンボルを生成する第２周波数領域処理プロセスは、インターリービング処理を含まず、あるいは、
第１周波数領域処理プロセスは、スクランブリング処理を含まず、第２周波数領域処理プロセスは、スクランブリング処理を含み、あるいは、
第１周波数領域処理プロセスは、データシンボルのアウト・オブ・オーダー処理を含まず、第２周波数領域処理プロセスは、データシンボルのアウト・オブ・オーダー処理を含む。
【００４５】
可能な実施設計で、アウト・オブ・オーダー処理は、次の
データサブキャリアで運ばれたデータシンボルに対して巡回シフトを実行することと、奇数番目及び偶数番目のデータサブキャリアで運ばれたデータシンボルを入れ替えることと、高周波及び低周波データサブキャリアサブセットで運ばれたデータシンボルを入れ替えることと
のうちのいずれか１つを含む。
【００４６】
可能な実施設計で、２位相偏移変調ＢＰＳＫモードが、第２周波数領域処理プロセスにおけるコンステレーション点マッピングのために使用される。
【００４７】
可能な実施設計で、レガシー物理レイヤプリアンブルは、複数の受信端によって復号化可能であり、ニュー物理レイヤプリアンブルは、複数の受信端の一部によって復号化可能である。
【００４８】
可能な実施設計で、繰り返しフィールドのためのチャネル符号器へのビット入力は、周波数領域処理プロセスにおけるレガシー物理レイヤプリアンブルのプリセットフィールドのためのチャネル符号器へのビット入力と同じである。
【００４９】
可能な実施設計で、レガシー物理レイヤプリアンブルのプリセットフィールドは、レガシー信号フィールドＬ−ＳＩＧである。
【００５０】
可能な実施設計で、繰り返しフィールドは、ニュー物理レイヤプリアンブルの１番目のフィールド又は２番目のフィールドである。
【００５１】
可能な実施設計で、繰り返しフィールドは、ニュー物理レイヤプリアンブルの１番目のフィールドであり、１番目のフィールド以外のニュー物理レイヤプリアンブルのいずれかのフィールドは、コンステレーション点マッピングのために回転ＢＰＳＫモードを使用する。
【００５２】
第７の態様及び第７の態様の可能な実施で提供される通信装置の有利な効果については、第１の態様及び第１の態様の可能な実施の有利な効果を参照されたい。詳細は、ここで再び記載されない。
【００５３】
第８の態様に従って、本願の実施形態は、受信端に使用される通信装置を提供する。通信装置は、
レガシー物理レイヤプリアンブル及びニュー物理レイヤプリアンブルを含むプリアンブルを含む物理レイヤプロトコルデータユニットＰＰＤＵを受信するよう構成される受信ユニットと、
周波数領域においてレガシー物理レイヤプリアンブルのプリセットフィールドとの前もってセットされたアウト・オブ・オーダー関係を有しているフィールドである繰り返しフィールドをニュー物理レイヤプリアンブルが含むかどうかを判定し、ニュー物理レイヤプリアンブルが繰り返しフィールドを含む場合に、ＰＰＤＵがターゲットＰＰＤＵであると決定するよう構成される決定ユニットと
を含む。
【００５４】
可能な実施設計で、決定ユニットは、
レガシー物理レイヤプリアンブルのプリセットフィールドに対して第１復号化処理プロセスを実行することによって取得される第１情報と、繰り返しフィールドに対して第２復号化処理プロセスを実行することによって取得される第２情報との間の類似性を決定し、
類似性が前もってセットされた閾値以上である場合に、ニュー物理レイヤプリアンブルが繰り返しフィールドを含むと決定し、あるいは、類似性が前もってセットされた閾値に満たない場合に、ニュー物理レイヤプリアンブルが繰り返しフィールドを含まないと決定する
よう特に構成される。
【００５５】
可能な実施設計で、第１復号化処理プロセスは、デインターリービング処理を含み、第２復号化処理プロセスは、デインターリービング処理を含まず、あるいは、
第１復号化処理プロセスは、デスクランブリング処理を含まず、第２復号化処理プロセスは、デスクランブリング処理を含み、あるいは、
第１復号化処理プロセスは、データシンボルの非アウト・オブ・オーダー処理を含まず、第２復号化処理プロセスは、データシンボルの非アウト・オブ・オーダー処理を含む。
【００５６】
可能な実施設計で、データ処理の非アウト・オブ・オーダー処理は、次の
データサブキャリアで運ばれたデータシンボルに対して巡回シフトを実行することと、奇数番目及び偶数番目のデータサブキャリアで運ばれたデータシンボルを入れ替えることと、高周波及び低周波データサブキャリアサブセットで運ばれたデータシンボルを入れ替えることと
のうちのいずれか１つを含む。
【００５７】
第８の態様及び第８の態様の可能な実施で提供される通信装置の有利な効果については、第２の態様及び第２の態様の可能な実施の有利な効果を参照されたい。詳細は、ここで再び記載されない。
【００５８】
第９の態様に従って、本願の実施形態は、送信端に使用される通信装置を提供する。通信装置は、
プリアンブルを含む物理レイヤプロトコルデータユニットＰＰＤＵを生成するよう構成される生成ユニットと、
ＰＰＤＵを送信するよう構成される送信ユニットと
を含み、
プリアンブルは、レガシー物理レイヤプリアンブル及びニュー物理レイヤプリアンブルを含み、ニュー物理レイヤプリアンブルの１番目のフィールドは、レガシー物理レイヤプリアンブルのプリセットフィールドと同じであり、１番目のフィールド以外のニュー物理レイヤプリアンブルのいずれかのフィールドは、コンステレーション点マッピングのために回転２位相偏移変調ＢＰＳＫモードを使用する。
【００５９】
可能な実施設計で、ニュー物理レイヤプリアンブルの２番目のフィールドは、コンステレーション点マッピングのために回転ＢＰＳＫモードを使用する。
【００６０】
第９の態様及び第９の態様の可能な実施で提供される通信装置の有利な効果については、第３の態様及び第３の態様の可能な実施の有利な効果を参照されたい。詳細は、ここで再び記載されない。
【００６１】
第１０の態様に従って、本願の実施形態は、受信端に使用される通信装置を提供する。通信装置は、
レガシー物理レイヤプリアンブル及びニュー物理レイヤプリアンブルを含むプリアンブルを含む物理レイヤプロトコルデータユニットＰＰＤＵを受信するよう構成される受信ユニットと、
ニュー物理レイヤプリアンブルの１番目のフィールドがレガシー物理レイヤプリアンブルのプリセットフィールドと同じであるかどうかと、１番目のフィールド以外のニュー物理レイヤプリアンブルのいずれかのフィールドがコンステレーション点マッピングのために回転２位相偏移変調ＢＰＳＫモードを使用するかどうかとを判定し、ニュー物理レイヤプリアンブルの１番目のフィールドがレガシー物理レイヤプリアンブルのプリセットフィールドと同じであり、かつ、１番目のフィールド以外のニュー物理レイヤプリアンブルのいずれかのフィールドがコンステレーション点マッピングのために回転ＢＰＳＫモードを使用する場合に、ＰＰＤＵがターゲットＰＰＤＵであると決定するよう構成される決定ユニットと
を含む。
【００６２】
可能な実施設計で、決定ユニットは、
ニュー物理レイヤプリアンブルの２番目のフィールドがコンステレーション点マッピングのために回転ＢＰＳＫモードを使用するかどうかを判定するよう特に構成される。
【００６３】
第１０の態様及び第１０の態様の可能な実施で提供される通信装置の有利な効果については、第４の態様及び第４の態様の可能な実施の有利な効果を参照されたい。詳細は、ここで再び記載されない。
【００６４】
第１１の態様に従って、本願の実施形態は、送信端に使用される通信装置を提供する。通信装置は、
ニュー物理レイヤプリアンブルを含む物理レイヤプロトコルデータユニットＰＰＤＵを生成するよう構成される生成ユニットと、
ＰＰＤＵを送信するよう構成される送信ユニットと
を含む、
ニュー物理レイヤプリアンブルは、プリセットフィールドを含み、プリセットフィールドのチェックビットは、データサブキャリアのプリセット位置に位置し、プリセット位置は、ＰＰＤＵのフレーム構造を示すために使用される。
【００６５】
可能な実施設計で、プリセット位置は、データサブキャリアの開始位置である。
【００６６】
可能な実施設計で、プリセットフィールドは、ニュー物理レイヤプリアンブルの１番目のフィールド又は２番目のフィールドである。
【００６７】
第１１の態様及び第１１の態様の可能な実施で提供される通信装置の有利な効果については、第５の態様及び第５の態様の可能な実施の有利な効果を参照されたい。詳細は、ここで再び記載されない。
【００６８】
第１２の態様に従って、本願の実施形態は、受信端に使用される通信装置を提供する。通信装置は、
ニュー物理レイヤプリアンブルを含むプリアンブルを含む物理レイヤプロトコルデータユニットＰＰＤＵを受信するよう構成される受信ユニットと、
ニュー物理レイヤプリアンブルのプリセットフィールドのチェックビットがデータサブキャリアのプリセット位置に位置するかどうかを判定し、プリセット位置は、ＰＰＤＵがターゲットＰＰＤＵであることを示すために使用され、ニュー物理レイヤプリアンブルのプリセットフィールドのチェックビットがデータサブキャリアのプリセット位置に位置する場合に、ＰＰＤＵがターゲットＰＰＤＵであると決定するよう構成される決定ユニットと
を含む。
【００６９】
可能な実施設計で、プリセット位置は、データサブキャリアの開始位置である。
【００７０】
可能な実施設計で、プリセットフィールドは、ニュー物理レイヤプリアンブルの１番目のフィールド又は２番目のフィールドである。
【００７１】
第１２の態様及び第１２の態様の可能な実施で提供される通信装置の有利な効果については、第６の態様及び第６の態様の可能な実施の有利な効果を参照されたい。詳細は、ここで再び記載されない。
【００７２】
第１３の態様に従って、本願の実施形態は、プロセッサ、メモリ、及び通信インターフェースを含む通信デバイスを提供し、
プロセッサは、通信インターフェースの送信及び受信動作を制御し、
メモリは、プログラムを記憶し、
プロセッサは、第１の態様、第３の態様、又は第５の態様のうちいずれか１つに記載の方法を実行するように、メモリに記憶されているプログラムを呼び出す。
【００７３】
第１４の態様に従って、本願の実施形態は、プロセッサ、メモリ、及び通信インターフェースを含む通信デバイスを提供し、
プロセッサは、通信インターフェースの送信及び受信動作を制御し、
メモリは、プログラムを記憶し、
プロセッサは、第２の態様、第４の態様、又は第６の態様のうちいずれか１つに記載の方法を実行するように、メモリに記憶されているプログラムを呼び出す。
【００７４】
第１５の態様に従って、本願の実施形態は、記憶媒体を提供する。記憶媒体は、コンピュータプログラムを記憶し、コンピュータプログラムを記憶し、コンピュータプログラムがプロセッサによって実行される場合に、第１の態様、第３の態様、又は第５の態様のうちいずれか１つに記載の方法が実施される。
【００７５】
第１６の態様に従って、本願の実施形態は、プログラム製品を更に提供する。プログラム製品は、コンピュータプログラム（すなわち、実行可能命令）を含み、コンピュータプログラムは、読み出し可能な記憶媒体に記憶される。送信端の少なくとも１つのプロセッサは、読み出し可能な記憶媒体からコンピュータプログラムを読み出してよく、少なくとも１つのプロセッサは、送信端が第１の態様、第３の態様、又は第５の態様で提供される方法を実行するように、コンピュータプログラムを実行する。
【００７６】
第１７の態様に従って、本願の実施形態は、記憶媒体を提供する。記憶媒体は、コンピュータプログラムを記憶し、コンピュータプログラムを記憶し、コンピュータプログラムがプロセッサによって実行される場合に、第２の態様、第４の態様、又は第６の態様のうちいずれか１つに記載の方法が実施される。
【００７７】
第１８の態様に従って、本願の実施形態は、プログラム製品を更に提供する。プログラム製品は、コンピュータプログラム（すなわち、実行可能命令）を含み、コンピュータプログラムは、読み出し可能な記憶媒体に記憶される。受信端の少なくとも１つのプロセッサは、読み出し可能な記憶媒体からコンピュータプログラムを読み出してよく、少なくとも１つのプロセッサは、受信端が第２の態様、第４の態様、又は第６の態様で提供される方法を実行するように、コンピュータプログラムを実行する。
【図面の簡単な説明】
【００７８】
【図１】本願の実施形態に従うアプリケーションアーキテクチャの概略図である。
【図２】本願の実施形態に従うＡＰ及びＳＴＡの内部構造の概略図である。
【図３Ａ】本願の実施形態に従う８０２．１１ａ  ＰＰＤＵのフレーム構造の概略図である。
【図３Ｂ】本願の実施形態に従うＨＴ  ＰＰＤＵのフレーム構造の概略図である。
【図３Ｃ】本願の実施形態に従うＶＨＴ  ＰＰＤＵのフレーム構造の概略図である。
【図３Ｄ】本願の実施形態に従って、ＨＴ  ＰＰＤＵ及びＶＨＴ  ＰＰＤＵによって自動検出情報を運ぶ概略図である。
【図３Ｅ】本願の実施形態に従うＨＥ  ＰＰＤＵのフレーム構造の概略図である。
【図３Ｆ】本願の実施形態に従って、シグニチャフレームを含むＨＥ  ＰＰＤＵのフレーム構造の概略図である。
【図３Ｇ】本願の実施形態に従って、繰り返しＨＥ−ＳＩＧ  Ａを含むＨＥ  ＰＰＤＵのフレーム構造の概略図である。
【図３Ｈ】本願の実施形態に従うＥＨＴ  ＰＰＤＵのニュー物理レイヤプリアンブルの概略図である。
【図４】本願の実施形態に従う通信方法のフローチャートである。
【図５Ａ】本願の実施形態に従うＥＨＴ  ＰＰＤＵのフレーム構造の概略図１である。
【図５Ｂ】本願の実施形態に従って、図５Ａに示されるＣＬ−ＳＩＧを取得する概略図１である。
【図５Ｃ】本願の実施形態に従って、図５Ａに示されるＣＬ−ＳＩＧを取得する概略図２である。
【図５Ｄ】本願の実施形態に従って、図５Ａに示されるＣＬ−ＳＩＧを取得する概略図３である。
【図６】本願の他の実施形態に従う通信方法のフローチャートである。
【図７Ａ】本願の実施形態に従うＥＨＴ  ＰＰＤＵのフレーム構造の概略図２である。
【図７Ｂ】本願の実施形態に従うＥＨＴ  ＰＰＤＵのフレーム構造の概略図３である。
【図８】本願の更なる他の実施形態に従う通信方法のフローチャートである。
【図９】本願の実施形態に従う通信装置の略構造図である。
【図１０】本願の他の実施形態に従う通信装置の略構造図である。
【図１１】本願の実施形態に従う通信デバイスのハードウェア構造の概略図である。
【発明を実施するための形態】
【００７９】
図１は、本願の実施形態に従うアプリケーションアーキテクチャの概略図である。図１に示されるように、１つのアクセス・ポイント（access  point，ＡＰ）が存在しかつ２つの基地局（station，ＳＴＡ）が存在する例が使用されている。この実施形態のアプリケーションアーキテクチャは、ＡＰ、ＳＴＡ１、及びＳＴＡ２を含んでよい。ＡＰは、ＳＴＡ１及びＳＴＡ２へ通信上接続されており、ＳＴＡ１は、ＳＴＡ２へ通信上接続されており、ＡＰは更に、他のＡＰへ通信上接続されてもよい。本願の実施形態で提供される通信方法は、ＡＰ間の通信、ＳＴＡ間の通信、及びＡＰとＳＴＡとの間の通信のために使用されてよいことが留意されるべきである。ＡＰは、受信端又は送信端として使用されてよい。ＳＴＡは、受信端又は送信端として使用されてよい。
【００８０】
ＡＰは、制限なしに、通信サーバ、ルータ、スイッチ、ブリッジ、などを含む。ＳＴＡは、制限なしに、コンピュータ、携帯電話機、などを含む。
【００８１】
図２に示されるように、ＡＰ及びＳＴＡの夫々の内部構造は、例えば、アンテナ、無線（Radio）周波数モジュール、物理（physical，ＰＨＹ）レイヤベースバンドモジュール、媒体アクセス制御（media  access  control，ＭＡＣ）レイヤモジュール、論理リンク制御（logical  link  control，ＬＬＣ）モジュール、インターネット・プロトコル（internet  protocol，ＩＰ）処理モジュール、伝送制御プロトコル／ユーザ・データグラム・プロトコル（transmission  control  protocol／user  datagram  protocol，ＴＣＰ／ＵＤＰ）処理モジュール、及びアプリケーション（application）レイヤモジュールを含んでよい。ＩＰモジュール及びＬＬＣモジュールは、ユーザレイヤインターフェースを通じて互いと通信してよい。１つ以上のアンテナが存在してよく、ＳＴＡ及びＡＰは、同数のアンテナ又は異なった数のアンテナを有してよい。
【００８２】
ＡＰ及びＳＴＡは８０２．１１標準規格に対応し得ることが留意されるべきである。８０２．１１標準規格は、主に、ＰＨＹレイヤ及びＭＡＣレイヤに関係がある。本願は、主に、物理レイヤプロトコルデータユニット（physical  protocol  data  unit，ＰＰＤＵ）に関係がある。
【００８３】
具体的に、図３Ａに示されるように、ＰＰＤＵ（８０２．１１ａ  ＰＰＤＵと表され得る）のフレーム構造は、８０２．１１ａ標準規格において定義され、次のフィールド：データ（Data）及びレガシー物理レイヤプリアンブルを含む。レガシー物理レイヤプリアンブルは、レガシー−ショート・トレーニング・フィールド（legacy-short  training  field，Ｌ−ＳＴＦ）、レガシー−ロング・トレーニング・フィールド（legacy-long  training  field，Ｌ−ＬＴＦ）、及びレガシー信号フィールド（legacy  signal  field，Ｌ−ＳＩＧ）を含む。
【００８４】
加えて、８０２．１１ａ標準規格は、第１世代の主流Ｗｉ−Ｆｉプロトコルであり、８０２．１１ａ  ＰＰＤＵのＰＰＤＵフレーム構造は、レガシー物理レイヤプリアンブル及びデータフィールドのみを含み、他のプリアンブルフィールドを含まない。従って、８０２．１１ａ標準規格に従うＰＰＤＵは、ＰＰＤＵが８０２．１１ａ  ＰＰＤＵであることを自動的に検出するための情報を運ばない。
【００８５】
更に、図３Ｂに示されるように、図３Ａに基づいて、混合フォーマット（mixed  format，ＭＦ）ＰＰＤＵ（高スループット（high  throughput，ＨＴ）ＰＰＤＵ又は８０２．１１ｎ  ＰＰＤＵと表され得る）のフレーム構造は、８０２．１１ｎ標準規格において定義され、次のフィールド：データ、レガシー物理レイヤプリアンブル、及びニュー物理レイヤプリアンブルを含む。ニュー物理レイヤプリアンブルは、高スループット信号フィールド（high  throughput  signal  field，ＨＴ−ＳＩＧ）、高スループット・ショート・トレーニング・フィールド（high  throughput  short  training  field，ＨＴ−ＳＴＦ）、及び高スループット・ロング・トレーニング・フィールド（high  throughput  long  training  field，ＨＴ−ＬＴＦ）を含む。ＨＴ−ＳＩＧは、２つのＯＦＤＭシンボル（Symbol）を含み、各ＯＦＤＭシンボルは、４マイクロ秒（μｓ）の存続期間を有している。
【００８６】
ＨＴ  ＰＰＤＵと８０２．１１ａ  ＰＰＤＵとを差別化するために、８０２．１１ｎ標準規格に従うＰＰＤＵは、ＰＰＤＵがＨＴ  ＰＰＤＵであることを自動的に検出するための情報を運ぶ必要がある。具体的に、８０２．１１ｎ  ＨＴ−ＳＩＧに含まれている２つのＯＤＤＭシンボルの両方が、コンステレーション点マッピングのために回転２位相偏移変調（quadrature  binary  phase  shift  keying，ＱＢＰＳＫ）モードを使用する必要がある。ＱＢＰＳＫは、ＢＰＳＫの位相を９０度回転させることと同等であり、それにより、Ｉ軸で運ばれる情報はＱ軸へシフトされる。８０２．１１ｎの受信端は、Ｑ軸エネルギをＩ軸エネルギと比較する。エネルギ差が閾値よりも大きい場合に、８０２．１１ｎの受信端は、受信されたＰＰＤＵがＨＴ  ＰＰＤＵであると決定し、あるいは、エネルギ差が閾値以下である場合に、８０２．１１ｎの受信端は、受信されたＰＰＤＵが８０２．１１ａ  ＰＰＤＵであると決定する。
【００８７】
また更に、図３Ｃに示されるように、図３Ａに基づいて、ＰＰＤＵ（超高スループット（very  high  throughput，ＶＨＴ）ＰＰＤＵ又は８０２．１１ａｃ  ＰＰＤＵと表され得る）のフレーム構造は、８０２．１１ａｃ標準規格において定義され、次のフィールド：データ、レガシー物理レイヤプリアンブル、及びニュー物理レイヤプリアンブルを含む。ニュー物理レイヤプリアンブルは、超高スループット信号フィールドＡ（ＶＨＴ−ＳＩＧ  Ａ，very  high  throughput  signal  field  A）、超高スループット・ショート・トレーニング・フィールド（ＶＨＴ−ＳＴＦ，very  high  throughput  short  training  field）、超高スループット・ロング・トレーニング・フィールド（ＶＨＴ−ＬＴＦ，very  high  throughput  long  training  field）、及び超高スループット信号フィールドＢ（ＶＨＴ−ＳＩＧ  Ｂ，very  high  throughput  signal  field  B）を含む。ＶＨＴ−ＳＩＧ−Ａ（ＶＨＴＳＩＧＡとも表され得る）は、２つのＯＦＤＭシンボルを含み、各ＯＦＤＭシンボルは、４μｓの存続期間を有している。
【００８８】
ＶＨＴ  ＰＰＤＵ、ＨＴ  ＰＰＤＵ、及び８０２．１１ａ  ＰＰＤＵを差別化するために、８０２．１１ａｃ標準規格に従うＰＰＤＵは、ＰＰＤＵがＶＨＴ  ＰＰＤＵであることを自動的に検出するための情報を運ぶ必要がある。具体的に、ＶＨＴ−ＳＩＧ−Ａの１番目のＯＦＤＭは、コンステレーション点マッピングのためにＢＰＳＫモードを使用し、ＶＨＴ−ＳＩＧ−Ａの２番目のＯＦＤＭは、コンステレーション点マッピングのためにＱＢＰＳＫモードを使用する。受信端は、ＶＨＴ−ＳＩＧ−Ａの２つのＯＦＤＭシンボルの夫々のＱ軸エネルギ及びＩ軸エネルギの間のエネルギ差を決定する。１番目のＯＦＤＭシンボルのＱ軸エネルギからＩ軸エネルギを減じることによって得られるエネルギ差が閾値よりも小さく、２番目のＯＦＤＭシンボルのＱ軸エネルギからＩ軸エネルギを減じることによって得られるエネルギ差が閾値よりも大きい場合に、受信端は、受信されたＰＰＤＵがＶＨＴ  ＰＰＤＵであると決定する。
【００８９】
８０２．１１ｎ  ＨＴ  ＰＰＤＵのニュー物理レイヤプリアンブルによって自動検出情報を運ぶ方法、及び８０２．１１ａｃ  ＶＨＴ  ＰＰＤＵのニュー物理レイヤプリアンブルによって自動検出情報を運ぶ方法は、具体的に図３Ｄに示され得る。
【００９０】
また更に、図３Ｅに示されるように、図３Ａに基づいて、ＰＰＤＵ（高効率（high  efficient，ＨＥ）ＰＰＤＵ又は８０２．１１ａｘ  ＰＰＤＵと表され得る）のフレーム構造は、８０２．１１ａｘ標準規格において定義され、次のフィールド：データ、レガシー物理レイヤプリアンブル、及びニュー物理レイヤプリアンブルを含む。ニュー物理レイヤプリアンブルは、高効率信号フィールドＡ（high  efficient  signal  field  A，ＨＥ−ＳＩＧ  Ａ）、高効率信号フィールドＢ（high  efficient  signal  field  B，ＨＥ−ＳＩＧ  Ｂ）、高効率ショート・トレーニング・シーケンス（high  efficient  short  training  field，ＨＥ−ＳＴＦ）、及び高効率ロング・トレーニング・シーケンス・フィールド（high  efficient  long  training  field，ＨＥ−ＬＴＦ）を含む。
【００９１】
ＨＥ  ＰＰＤＵ、ＶＨＴ  ＰＰＤＵ、ＨＴ  ＰＰＤＵ、及び８０２．１１ａ  ＰＰＤＵを差別化するために、８０２．１１ａｘ標準規格に従うＰＰＤＵは、ＰＰＤＵがＨＥ  ＰＰＤＵであることを自動的に検出するための情報を運ぶ必要がある。具体的に、繰り返しレガシー信号フィールドＲＬ−ＳＩＧが、Ｌ−ＳＩＧとＨＥ−ＳＩＧとの間に加えられる。ＲＬ−ＳＩＧの各周波数領域サブキャリアで運ばれるデータは、Ｌ−ＳＩＧの各周波数領域サブキャリアで運ばれるデータと同じである。受信端は、Ｌ−ＳＩＧがＲＬ−ＳＩＧと同じであるかどうかを比較することによって、受信されたＰＰＤＵがＨＥ  ＰＰＤＵであると決定する。決定結果の正確さを改善するために、受信端は、Ｌ−ＳＩＧフィールドにおける長さフィールドの値が厳密に３で割り算可能であるかどうかを判定することによって、受信されたＰＰＤＵがＨＥ  ＰＰＤＵであるかどうかを更に判定してもよい。具体的に、長さフィールドの値が厳密に３で割り算できない場合には、受信端は、受信されたＰＰＤＵがＨＥ  ＰＰＤＵであると決定し、あるいは、長さフィールドの値が厳密に３で割り算することができる場合には、受信端は、受信されたＰＰＤＵが、８０２．１１ａｘよりも先の標準規格で定義されているＰＰＤＵであると決定する。８０２．１１ａｘよりも先の標準規格で定義されているＰＰＤＵにおけるＬ−ＳＩＧフィールドの長さフィールドの値は、厳密に３で割り算することができるが、８０２．１１ａｘ  ＰＰＤＵにおけるＬ−ＳＩＧフィールドの長さフィールドの値は、厳密に３で割り算することができないことが留意されるべきである。
【００９２】
その上、ＨＥ  ＰＰＤＵのＰＰＤＵフレーム構造の議論では、ＰＰＤＵが  ＨＥ  ＰＰＤＵであることを自動的に検出するための次の２種類の情報が更に提供される。
【００９３】
１．シグニチャ（Signature）フィールドがＬ−ＳＩＧの後に加えられ、具体的なＰＰＤＵフレーム構造は、図３Ｆに示され得る。シグニチャフィールドは、シグニチャシーケンスを含み、シグニチャシーケンスは、１ビットから２６ビットの長さを有している。シグニチャシーケンスが長い方が、性能は良くなるが、オーバーヘッドが高くなる。受信端は、シグニチャフィールドを復号し、ローカルに記憶されているシグニチャシーケンスと、受信されたシグニチャシーケンスとの間の類似性を比較する。類似性が閾値よりも大きい場合には、受信端は、受信されたＰＰＤＵがＨＥ  ＰＰＤＵであると決定し、あるいは、類似性が閾値以下である場合には、受信端は、受信されたＰＰＤＵがＨＥ  ＰＰＤＵでないと決定する。しかし、シグニチャシーケンスは、プリアンブルに余分のオーバーヘッドをもたらし、他の機能を運ばず自動検出機能しか運ばないという欠点がある。
【００９４】
２．繰り返しＨＥ−ＳＩＧ  Ａが使用され、具体的なＰＰＤＵ構造は、図３Ｇに示され得る。受信端は、受信されたＬ−ＳＩＧに続く２つのＯＦＤＭシンボルの間の類似性を比較する。類似性が閾値よりも大きい場合には、受信端は、受信されたＰＰＤＵがＨＥ  ＰＰＤＵであると決定し、あるいは、類似性が閾値以下である場合には、受信端は、受信されたＰＰＤＵがＨＥ  ＰＰＤＵでないと決定する。しかし、Ｌ−ＳＩＧに続く２つのＯＦＤＭの間の比較は、自動検出の遅延を引き起こす。
【００９５】
現在、次世代の８０２．１１標準規格は、上記の８０２．１１標準規格に基づいて提案されている。ＰＰＤＵ（次世代ＰＰＤＵ、例えば、極高スループット（extremely  high  throughput，ＥＨＴ）ＰＰＤＵと表され得る）のフレーム構造は、次世代の８０２．１１標準規格において定義され、次のフィールド：データ、レガシー物理レイヤプリアンブル、及びニュー物理レイヤプリアンブルを含む。次世代ＰＰＤＵがＥＨＴ  ＰＰＤＵである場合に、図３Ｈに示されるように、ニュー物理レイヤプリアンブルは、例えば、極高スループット信号フィールド１（ＥＨＴ−ＳＩＧ１，extremely  high  throughput  signal  field  1）、極高スループット信号フィールド２（ＥＨＴ−ＳＩＧ２，extremely  high  throughput  signal  field  2）、極高スループット・ショート・トレーニング・シーケンス・フィールド（extremely  high  throughput  short  training  field，ＥＨＴ−ＳＴＦ）、及び極高スループット・ロング・トレーニング・シーケンス・フィールド（extremely  high  throughput  long  training  field，ＥＨＴ−ＬＴＦ）を含んでよい。ＥＨＴ−ＳＩＧ１は、帯域幅などの一般信号を運ぶために使用されてよい。ＥＨＴ−ＳＩＧ２は、リソース割り当て指示及び局情報などの信号を運ぶために使用されてよい。ＥＨＴ−ＳＴＦは、自動利得制御（automatic  gain  control，ＡＧＣ）のために受信端によって使用されてよい。ＥＨＴ−ＬＴＦは、チャネル推定のために受信端によって使用されてよい。任意に、ニュー物理レイヤプリアンブルは、極高スループット信号フィールド３（ＥＨＴ−ＳＩＧ３，extremely  high  throughput  signal  field  3）を更に含んでよい。例えば、ＥＨＴ−ＳＩＧ３はＥＨＴ−ＬＴＦに続く。ＥＨＴ−ＳＴＦ、ＥＨＴ−ＬＴＦ、及びＥＨＴ−ＳＩＧ３の夫々のデータフィールド内のＯＦＤＭシンボルに対応するサブキャリア間隔は、レガシー物理レイヤプリアンブルのＯＦＤＭシンボルに対応するサブキャリア間隔よりも狭くなり得る。
【００９６】
次世代ＰＰＤＵとＨＥ  ＰＰＤＵ、ＶＨＴ  ＰＰＤＵ、ＨＴ  ＰＰＤＵ、及び８０２．１１ａ  ＰＰＤＵなどの既存のＰＰＤＵとを差別化するために、かつ、上記の２種類の情報を使用することを避けるために、次世代の８０２．１１標準規格においてＰＰＤＵが次世代ＰＰＤＵであることを自動的に検出するための情報をいかにしてＰＰＤＵのニュー物理レイヤプリアンブルが運ぶかが、主に本願に議論される。
【００９７】
本願の技術的解決法は、続く具体的な実施形態を使用することによって詳細に記載される。下記のいくつかの具体的な実施形態は、互いに組み合わされてよく、同じ又は類似した概念又はプロセスは、いくつかの実施形態で繰り返し記載されない。
【００９８】
図４は、本願の実施形態に従う通信方法のフローチャートである。図４に示されるように、この実施形態の方法は、次のステップを含んでよい。
【００９９】
ステップ４０１：送信端は、プリアンブルを含むＰＰＤＵを生成する。
【０１００】
このステップで、プリアンブルは、レガシー物理レイヤプリアンブル及びニュー物理レイヤプリアンブルを含む。レガシー物理レイヤプリアンブルは、図３Ａから図３ＦのＬ−ＳＴＦ、Ｌ−ＬＴＦ、及びＬ−ＳＩＧを含み、８０２．１１ａ標準規格に対応する受信端によって復号化可能である。ニュー物理レイヤプリアンブルは、図３Ｂから図３Ｆのニュー物理レイヤプリアンブルとは異なっており、次世代の８０２．１１標準規格に対応する受信端によって復号化可能である。互換性を考慮して、次世代の８０２．１１標準規格に対応する受信端は、８０２．１１ａ標準規格にも対応することができる。従って、レガシー物理レイヤプリアンブルは、複数の受信端によって復号化可能であり、ニュー物理レイヤプリアンブルは、複数の受信端の一部によって復号化可能である。具体的に、レガシー物理レイヤプリアンブルは、既存のＷｉ-Ｆｉデバイス及び次世代のＷｉ-Ｆｉデバイスによって成功裏に受信され得る。しかし、ニュー物理レイヤプリアンブルは、次世代のＷｉ-Ｆｉデバイスによって成功裏に受信され得るが、既存のＷｉ-Ｆｉデバイスによっては受信され得ない。
【０１０１】
ニュー物理レイヤプリアンブルは、繰り返しフィールドを含む。繰り返しフィールドは、周波数領域においてレガシー物理レイヤプリアンブルのプリセットフィールドとの前もってセットされたアウト・オブ・オーダー関係を有しているフィールドである。具体的に言えば、周波数領域において、前もってセットされたアウト・オブ・オーダー関係の変換が繰り返しフィールドに対して行われた後、繰り返しフィールドは、レガシー物理レイヤプリアンブルのプリセットフィールドと同じになり得る。変換の逆変換がレガシー物理レイヤプリアンブルのプリセットフィールドに対して行われた後、プリセットフィールドは繰り返しフィールドと同じになり得る。
【０１０２】
レガシー物理レイヤプリアンブルのプリセットフィールドが複数のＯＦＤＭシンボルを含む場合に、周波数領域においてレガシー物理レイヤプリアンブルのプリセットフィールドと繰り返しフィールドとの間には前もってセットされたアウト・オブ・オーダー関係が存在することが留意されるべきである。具体的に、周波数領域においてレガシー物理レイヤプリアンブルのプリセットフィールドの１つのＯＦＤＭシンボルと繰り返しフィールドの１つのＯＦＤＭシンボルとの間に前もってセットされたアウト・オブ・オーダー関係が存在してよく、あるいは、周波数領域においてレガシー物理レイヤプリアンブルのプリセットフィールドの各複数のＯＦＤＭシンボルと繰り返しフィールドのＯＦＤＭシンボルの夫々との間に前もってセットされたアウト・オブ・オーダー関係が存在してよい。
【０１０３】
任意に、レガシー物理レイヤプリアンブルのプリセットフィールドは、Ｌ−ＳＴＦ、Ｌ−ＬＴＦ、又はＬ−ＳＩＧのうちのいずれか１つであってよい。実施を簡単にするために、レガシー物理レイヤプリアンブルのプリセットフィールドは、Ｌ−ＳＩＧであってよい。
【０１０４】
この実施形態で、ニュー物理レイヤプリアンブルの繰り返しフィールドは、ＰＰＤＵが次世代ＰＰＤＵであることを自動的に検出するための情報を運ぶために使用される。繰り返しフィールドに加えて、ニュー物理レイヤプリアンブルは、次世代の８０２．１１標準規格で提供される新機能指示を運ぶために使用されるフィールドを更に含んでよい。ニュー物理レイヤプリアンブルは、例えば、制限なしに、図３Ｈに示されるフィールドを更に含んでよい。
【０１０５】
例えば、次世代ＰＰＤＵは、ＥＨＴ  ＰＰＤＵであり、レガシー物理レイヤプリアンブルのプリセットフィールドは、Ｌ−ＳＩＧである。ＥＨＴ  ＰＰＤＵのフレーム構造は、図５Ａに示され得る。ＣＬ−ＳＩＧは繰り返しフィールドであり、周波数領域においてＣＬ−ＳＩＧとＬ−ＳＩＧとの間には前もってセットされたアウト・オブ・オーダー関係が存在する。
【０１０６】
インターリービング処理。アウト・オブ・オーダー処理、スクランブリング処理、などは、周波数領域のアウト・オブ・オーダー処理を実施するために使用され得る。従って、インターリービング処理、アウト・オブ・オーダー処理、スクランブリング処理、などの１つ以上は、周波数領域においてレガシー物理レイヤプリアンブルのプリセットフィールドとの前もってセットされたアウト・オブ・オーダー関係を有しているフィールドであることを繰り返しフィールドに可能にするために実行されてよい。
【０１０７】
任意に、レガシー物理レイヤプリアンブルのプリセットフィールドのＯＦＤＭシンボルを生成する周波数領域処理プロセスは、第１周波数領域処理プロセスであると、繰り返しフィールドのＯＦＤＭシンボルを生成する周波数領域処理プロセスは、第２処理プロセスであるとすれば、周波数領域においてレガシー物理レイヤプリアンブルのプリセットフィールドとの前もってセットされたアウト・オブ・オーダー関係を有している繰り返しフィールドは、次の３つの方法のうちのいずれか１つで生成され得る。
【０１０８】
方法１：第１周波数領域処理プロセスは、インターリービング処理を含み、第２周波数領域処理プロセスは、インターリービング処理を含まない。
【０１０９】
具体的に、例えば、次世代ＰＰＤＵはＥＨＴ  ＰＰＤＵであり、レガシー物理レイヤプリアンブルのプリセットフィールドはＬ−ＳＩＧであり、ＥＨＴ  ＰＰＤＵのフレーム構造は図５Ａに示される。図５Ｂに示されるように、チャネル符号化、インターリービング処理、コンステレーション点マッピング、及び逆高速フーリエ変換（inverse  fast  fourier  transform，ＩＦＦＴ）が順次に、Ｌ−ＳＩＧフィールドで運ばれた周波数領域情報ビットに対して行われた後、Ｌ−ＳＩＧが生成される。チャネル符号化、コンステレーション点マッピング処理、及びＩＦＦＴが順次に情報ビットに対して行われた後、ＣＬ−ＳＩＧが生成される。すなわち、Ｌ−ＳＩＧを生成するプロセスで行われたインターリービング処理は、行われなくてよい。
【０１１０】
任意に、第１周波数領域処理プロセスと第２周波数領域処理プロセスとの間の唯一の違いは、第１周波数領域処理プロセスはインターリービング処理を含むが、第２周波数領域処理プロセスはインターリービング処理を含まない点にあってよい。その点を除いて、他の処理は同じである。例えば、第１処理プロセスにおけるコンステレーション点マッピングは、第２周波数領域処理プロセスにおけるコンステレーション点マッピングと同じである。他の例として、ＣＬ−ＳＩＧを生成する第２周波数領域処理プロセスで実行される符号化及びＩＦＦＴは、Ｌ−ＳＩＧを生成する第１周波数領域処理プロセスで実行される符号化及びＩＦＦＴと同じである。巡回シフト遅延（cyclic  shift  delay，ＣＳＤ）処理、巡回プリフィックス（cyclic  prefix，ＣＰ）処理、などが、ＩＦＦＴの後に更に行われてもよい。
【０１１１】
代替的に、任意に、第１周波数領域処理プロセスがインターリービング処理を含み、第２周波数領域処理プロセスがインターリービング処理を含まないとの違いに加えて、ＣＬ−ＳＩＧを生成する処理プロセスとＬ−ＳＩＧを生成する処理プロセスとの間には他の違いが存在してよい。例えば、第１処理プロセスにおけるコンステレーション点マッピングは、第２周波数領域処理プロセスにおけるコンステレーション点マッピングとは異なる。
【０１１２】
方法２：第１周波数領域処理プロセスは、スクランブリング処理を含まず、第２周波数領域処理プロセスは、スクランブリング処理を含む。
【０１１３】
具体的に、例えば、次世代ＰＰＤＵはＥＨＴ  ＰＰＤＵであり、レガシー物理レイヤプリアンブルのプリセットフィールドはＬ−ＳＩＧであり、ＥＨＴ  ＰＰＤＵのフレーム構造は図５Ａに示される。図５Ｃに示されるように、チャネル符号化、インターリービング処理、コンステレーション点マッピング、及び逆高速フーリエ変換（inverse  fast  fourier  transform，ＩＦＦＴ）が順次に、Ｌ−ＳＩＧフィールドで運ばれた周波数領域情報ビットに対して行われた後、Ｌ−ＳＩＧが生成される。チャネル符号化、スクランブリング処理、インターリービング処理、コンステレーション点マッピング処理、及びＩＦＦＴが順次に情報ビットに対して行われた後、ＣＬ−ＳＩＧが生成される。代替的に、スクランブリング処理は、チャネル符号化の前に実行されてよく、あるいは、インターリービング処理の後かつコンステレーション点マッピングの前に実行されてよい。スクランブリング処理に関係があるスクランブラは、ＩＥＥＥ８０２．１１ａのスクランブラであってよい。
【０１１４】
任意に、第１周波数領域処理プロセスと第２周波数領域処理プロセスとの間の唯一の違いは、第１周波数領域処理プロセスはスクランブリング処理を含まないが、第２周波数領域処理プロセスはスクランブリング処理を含む点にあってよい。その点を除いて、他の処理は同じである。
【０１１５】
代替的に、任意に、第１周波数領域処理プロセスがスクランブリング処理を含まず、第２周波数領域処理プロセスがスクランブリング処理を含むとの違いに加えて、ＣＬ−ＳＩＧを生成する処理プロセスとＬ−ＳＩＧを生成する処理プロセスとの間には他の違いが存在してよい。例えば、第１処理プロセスにおけるコンステレーション点マッピングは、第２周波数領域処理プロセスにおけるコンステレーション点マッピングとは異なる。
【０１１６】
図５Ｃにおいて、スクランブリング処理は、ＩＦＦＴの前かつコンステレーション点マッピングの後に実行されることが例として使用されることが留意されるべきである。スクランブリング処理は、ＩＦＦＴの前に実行されてよい。任意に、スクランブリング処理は、チャネル符号化の前かつコンステレーション点マッピングの後に実行されてよい。
【０１１７】
方法３：第１周波数領域処理プロセスは、データシンボルのアウト・オブ・オーダー処理を含まず、第２周波数領域処理プロセスは、データシンボルのアウト・オブ・オーダー処理を含む。
【０１１８】
具体的に、例えば、次世代ＰＰＤＵはＥＨＴ  ＰＰＤＵであり、レガシー物理レイヤプリアンブルのプリセットフィールドはＬ−ＳＩＧであり、ＥＨＴ  ＰＰＤＵのフレーム構造は図５Ａに示される。図５Ｄに示されるように、チャネル符号化、インターリービング処理、コンステレーション点マッピング、及び逆高速フーリエ変換（inverse  fast  fourier  transform，ＩＦＦＴ）が順次に、Ｌ−ＳＩＧフィールドで運ばれた周波数領域情報ビットに対して行われた後、Ｌ−ＳＩＧが生成される。チャネル符号化、インターリービング処理、コンステレーション点マッピング処理、アウト・オブ・オーダー処理、及びＩＦＦＴが順次に情報ビットに対して行われた後、ＣＬ−ＳＩＧが生成される。
【０１１９】
任意に、第１周波数領域処理プロセスと第２周波数領域処理プロセスとの間の唯一の違いは、第１周波数領域処理プロセスはデータシンボルのアウト・オブ・オーダー処理を含まないが、第２周波数領域処理プロセスはデータシンボルのアウト・オブ・オーダー処理を含む点にあってよい。その点を除いて、他の処理は同じである。代替的に、任意に、ＣＬ−ＳＩＧを生成する処理プロセスと、Ｌ−ＳＩＧを生成する処理プロセスとの間の唯一の違いは、第１周波数領域処理プロセスがデータシンボルのアウト・オブ・オーダー処理を含まず、第２周波数領域処理プロセスがデータシンボルのアウト・オブ・オーダー処理を含む点にある。
【０１２０】
データシンボルは、コンステレーション点マッピングが情報ビットに対して行われた後に生成されることが留意されるべきである。
【０１２１】
任意に、アウト・オブ・オーダー処理は、次の：データサブキャリアで運ばれたデータシンボルに対して巡回シフトを実行することと、奇数番目及び偶数番目のデータサブキャリアで運ばれたデータシンボルを入れ替えることと、高周波及び低周波データサブキャリアサブセットで運ばれたデータシンボルを入れ替えることとのうちのいずれか１つを含む。
【０１２２】
任意に、データサブキャリアで運ばれたデータシンボルは、ｎビットだけ循環的にシフトされてよく、このとき、ｎは、０よりも大きくかつデータサブキャリアの数よりも小さい整数であってよい。例えば、データサブキャリアの数は４８であり、このとき、ｎ＝１，・・・，４７である。具体的に、第１周波数領域処理プロセスにおいて、コンステレーション点マッピングが実行された後、低周波から高周波へと順位付けされた４８個のデータサブキャリアで運ばれたデータシンボルは、夫々、Ｄ１，Ｄ２，・・・及びＤ４８であり、ｎ＝１である、と仮定される。巡回シフトがデータサブキャリアで運ばれたデータシンボルに対して実行された後、低周波から高周波へと順位付けされた４８個のデータサブキャリアで運ばれたデータシンボルは、夫々、Ｄ２，Ｄ３，・・・，Ｄ４８，及びＤ１である。巡回シフトは、コンステレーション点マッピングの後にデータシンボルに対して実行されてよく、あるいは、巡回シフトは、コンステレーション点マッピングの前に、チャネル符号化を通じて取得された符号化ビットに対して実行されてよいことが留意されるべきである。
【０１２３】
任意に、データサブキャリアの数がｍであり、低周波から高周波へと順位付けされたｍ個のデータサブキャリアの番号（シーケンス番号とも呼ばれる）が、夫々、１，・・・，及びｍであるとすれば、奇数番目のデータサブキャリア及び偶数番目のデータサブキャリアは、２／ｍ個のグループを得るよう１つのグループにグループ分けされてよく、１つのグループ内の奇数番目のデータサブキャリアで運ばれたデータシンボル及び偶数番目のデータサブキャリアで運ばれたデータシンボルは、入れ替えられる。例えば、第１周波数領域処理プロセスにおいて、コンステレーション点マッピングが実行された後、低周波から高周波へと順位付けされた４８個のデータサブキャリアで運ばれたデータシンボルは、夫々、Ｄ１，Ｄ２，・・・及びＤ４８である、と仮定される。奇数番目のデータサブキャリアで運ばれたデータシンボル及び偶数番目のデータサブキャリアで運ばれたデータシンボルが入れ替えられた後、低周波から高周波へと順位付けされた４８個のデータサブキャリアで運ばれたデータシンボルは、夫々、Ｄ２，Ｄ１，Ｄ４，Ｄ３，・・・，Ｄ４８，及びＤ４７である。代替的に、チャネル符号化を通じて取得された符号化ビットとデータシンボルとの間に一対一の対応がある場合に、各符号化ビットは、１つのデータサブキャリアに対応してよい。代替的に、コンステレーション点マッピングの前に、チャネル符号化を通じて取得され、奇数番目及び偶数番目のデータサブキャリアに対応する符号化ビットが、入れ替えられてもよい。
【０１２４】
任意に、全てのデータサブキャリアを含む組は、データサブキャリアの周波数に基づいて、高周波データサブキャリアサブセットと、高周波サブキャリアサブセットに対応する低周波データサブキャリアサブセットとに分けられてよい。高周波サブキャリアサブセット内のデータサブキャリアの周波数は、高周波サブキャリアサブセットに対応する低周波サブキャリアサブセット内のデータサブキャリアの周波数よりも高い。高周波データサブキャリアサブセット内のデータサブキャリアで運ばれたデータシンボルと、高周波サブキャリアサブセットに対応する低周波サブキャリアサブセット内のデータサブキャリアで運ばれたデータシンボルとは、入れ替えられる。１つ以上の高周波サブキャリアサブセットと、１つの高周波サブキャリアサブセットに対応する１つの低周波サブキャリアサブセットとが存在してよいことが留意されるべきである。例えば、４８個のデータサブキャリアが存在し、１つの高周波サブキャリアサブセットが存在し、第１周波数領域処理プロセスにおいて、コンステレーション点マッピングの後の、低周波から高周波へと順位付けされた４８個のデータサブキャリアで運ばれたデータシンボルは、夫々、Ｄ１、Ｄ２，・・・，及びＤ４８である。高周波サブキャリアサブセット内のデータサブキャリアで運ばれたデータシンボルと、低周波データサブキャリアサブセット内のデータサブキャリアで運ばれたデータシンボルとが入れ替えられた後、低周波から高周波へと順位付けされた４８個のデータサブキャリアで運ばれたデータシンボルは、夫々、Ｄ２５，Ｄ２６，・・・，Ｄ４８，Ｄ１，Ｄ２，・・・，及びＤ２４である。代替的に、チャネル符号化を通じて取得された符号化ビットとデータシンボルとの間に一対一の対応がある場合に、各符号化ビットは、１つのデータサブキャリアに対応してよい。代替的に、コンステレーション点マッピングの前に、チャネル符号化を通じて取得され、高周波及び低周波データサブキャリアに対応する符号化ビットが、入れ替えられてもよい。
【０１２５】
詳細に記載されている上記３つの具体的なアウト・オブ・オーダー処理方法に加えて、他のアウト・オブ・オーダー処理方法が使用されてもよいことが留意されるべきである。例えば、１２個ごとのデータサブキャリアが４つのグループ、すなわち、グループ１、グループ２、グループ３、及びグループ４を得るよう１つのグループにグループ分けされる。グループ１内のデータサブキャリアで運ばれたデータシンボルと、グループ２内のデータサブキャリアで運ばれたデータシンボルとが入れ替えられる。グループ３内のデータサブキャリアで運ばれたデータシンボルと、グループ４内のデータサブキャリアで運ばれたデータシンボルとが入れ替えられる。例えば、全てのデータサブキャリアについて、２つの特定のデータサブキャリアで運ばれたデータシンボルが入れ替えられる。代替的に、チャネル符号化を通じて取得された符号化ビットとデータシンボルとの間に一対一の対応がある場合に、各符号化ビットは、１つのデータサブキャリアに対応してよい。代替的に、コンステレーション点マッピングの前に、チャネル符号化を通じて取得され、異なるデータサブキャリアに対応する符号化ビットは、相応して変更されてよい。
【０１２６】
任意に、ＣＬ−ＳＩＧフィールドについて、上記の方法に基づいて、ｍ個のデータサブキャリアで運ばれたデータシンボルは、追加情報を運ぶように、ｍビットランダムシーケンスを乗じられた点であってよい。任意に、ランダムシーケンスのシーケンス値は１又は−１であってよいが、２つの値に限られない。任意に、ｍビットランダムシーケンスは、ビットが全て−１であるシーケンスである。代替的に、ｍビットランダムシーケンスにおいて、ビットの半分は１であり、ビットの残り半分は−１である。更に、任意に、奇数番目のデータサブキャリアで運ばれたデータシンボルは、１を乗じられてよく、偶数番目のデータサブキャリアで運ばれたデータシンボルは、−１を乗じられてよい。代替的に、高周波データサブキャリアサブセット内のデータサブキャリアで運ばれたデータシンボルは、１を乗じられてよく、低周波データサブキャリアサブセット内のデータサブキャリアで運ばれたデータシンボルは、−１を乗じられてよい。代替的に、奇数番目のデータサブキャリアで運ばれたデータシンボルは、−１を乗じられてよく、偶数番目のデータサブキャリアで運ばれたデータシンボルは、１を乗じられてよい。代替的に、高周波データサブキャリアサブセット内のデータサブキャリアで運ばれたデータシンボルは、−１を乗じられてよく、低周波データサブキャリアサブセット内のデータサブキャリアで運ばれたデータシンボルは、１を乗じられてよい。
【０１２７】
更に、任意に、ｍビットランダムシーケンスの２つの値は、プリアンブルを示す１ビット信号を運ぶために使用されてもよい。例えば、ビットが全て１であるシーケンスは、ＥＨＴ  ＰＰＤＵがプリアンブルパンクチャＥＨＴ  ＰＰＤＵ（preamble  puncture  EHT  PPDU）であることを示すために使用されてよく、ビットが全て−１であるシーケンスは、ＥＨＴ  ＰＰＤＵがプリアンブルパンクチャＥＨＴ  ＰＰＤＵでないことを示すために使用されてよい。ここで、プリアンブルパンクチャの概念は、８０２．１１ａｘにおけるＰＰＤＵのプリアンブルパンクチャのそれに類似している。例えば、プリアンブルパンクチャは、プリアンブル及びデータフィールドがある帯域幅の２０−ＭＨｚ帯域幅で伝送されないことを示し得る。
【０１２８】
図５Ａから図５Ｄでは、繰り返しフィールドがニュー物理レイヤプリアンブルの１番目のフィールドである例が使用されていることが留意されるべきである。任意に、繰り返しフィールドは、代替的に、ニュー物理レイヤプリアンブルの２番目のフィールドであってよい。
【０１２９】
任意に、ＢＰＳＫモードが、第２周波数領域処理プロセスにおいてコンステレーション点マッピングのために使用されてよい。
【０１３０】
任意に、繰り返しフィールドがニュー物理レイヤプリアンブルの１番目のフィールドである場合に、繰り返しフィールドは、非回転コンステレーション点マッピングモード（ＱＢＰＳＫを除く）、例えば、２位相偏移変調（binary  phase  shift  keying，ＢＰＳＫ）を使用する。繰り返しフィールドがニュー物理レイヤプリアンブルの２番目のフィールドである場合に、繰り返しフィールドは、ＢＰＳＫ又はＱＢＰＳＫなどのコンステレーション点マッピングモードを使用してよい。
【０１３１】
任意に、上記の複数の自動検出方法は更に、レガシープリアンブルのＬ−ＳＩＧ内の長さフィールドの値が厳密に３で割り算される方法と組み合わせて使用されてもよい。代替的に、上記の複数の自動検出方法は更に、レガシープリアンブルのＬ−ＳＩＧ内の長さフィールドの値が厳密に３で割り算されない方法と組み合わせて使用されてもよい。
【０１３２】
８０２．１１ｎの受信端は、Ｌ−ＳＩＧに続く１番目のＯＦＤＭフィールドに使用されているコンステレーション点マッピングモードを決定することによって、自動検出を実行するので、ニュー物理レイヤプリアンブルの１番目のフィールドがコンステレーション点マッピングのためにＱＢＰＳＫモードを使用する場合に、次の問題が引き起こされる可能性があることが留意されるべきである。８０２．１１ｎの受信端は、Ｌ−ＳＩＧに続く１番目のＯＦＤＭシンボルがコンステレーション点マッピングのためにＱＢＰＳＫモードを使用することに基づいて、ＰＰＤＵがＨＴ  ＰＰＤＵであると決定し、ＰＰＤＵが実際にはＨＴ  ＰＰＤＵでない場合に、８０２．１１ｎの受信端は、巡回冗長検査を実行することができず、８０２．１１ｎの受信端は、サイレント期間に入るようＬ−ＳＩＧの長さフィールドに従わない。結果として、この挙動は、伝送中であるＰＰＤＵと干渉する可能性がある。
【０１３３】
本願のこの実施形態では、繰り返しフィールドがニュー物理レイヤプリアンブルの１番目のフィールドである場合に、繰り返しフィールドは非回転コンステレーション点マッピングモード（ＱＢＰＳＫを除く）を使用する。これは、８０２．１１ｎの受信端が、次世代ＰＰＤＵをＨＴ  ＰＰＤＵと誤って決定することを防ぎ、それによって、Ｌ−ＳＩＧの長さフィールドに従わない危険な挙動を回避する。
【０１３４】
たとえ他の受信端、例えば、８０２．１１ａの受信端、８０２．１１ａｃの受信端、又は８０２．１１ａｘの受信端が、自動検出により、次世代ＰＰＤＵを誤って８０２．１１ａ  ＰＰＤＵ、８０２．１１ａｃ  ＶＨＴ  ＰＰＤＵ、又は８０２．１１ａｘ  ＨＥ  ＰＰＤＵと夫々決定するとしても、８０２．１１ｎの受信端がＬ−ＳＩＧの長さフィールドに従わないという上記の危険な挙動は起こらないことが留意されるべきである。
【０１３５】
任意に、繰り返しフィールドがニュー物理レイヤプリアンブルの１番目のフィールドである場合に、１番目のフィールド以外のニュー物理レイヤプリアンブルのいずれかのフィールドは、コンステレーション点マッピングのために回転ＢＰＳＫモードを使用する。１番目のフィールド以外のニュー物理レイヤプリアンブルのいずれかのフィールドは、コンステレーション点マッピングのために回転ＢＰＳＫモードを使用し、それにより、受信端は、１番目のフィールド以外のフィールドに使用されるコンステレーション点マッピングモードに基づく増進された方法で、受信されたＰＰＤＵが次世代ＰＰＤＵであるかどうかを更に判定することができる。これは、判定結果の正確さを改善する。任意に、コンステレーション点マッピングのために回転ＢＰＳＫモードを使用する、１番目のフィールド以外のフィールドは、ニュー物理レイヤプリアンブルの２番目のフィールド、例えば、ニュー物理レイヤプリアンブルの２番目のＯＦＤＭシンボルであってよい。
【０１３６】
第１周波数領域処理プロセス及び第２周波数領域処理プロセスにおいて、チャネル符号化前の情報ビットは同じであってよく、チャネル符号化後の情報ビットは同じ又は異なってよいことが留意されるべきである。すなわち、周波数領域処理プロセスにおいて、繰り返しフィールドのためのチャネル符号器へのビット入力は、レガシー物理レイヤプリアンブルのプリセットフィールドのためのチャネル符号器へのビット入力と同じであってよく、具体的なチャネル符号化モードは同じ又は異なってよい。
【０１３７】
この実施形態で、ＩＦＦＴは、代替的に、逆離散フーリエ変換（inverse  discrete  fourier  transform，ＩＤＦＴ）と置換されてもよいことが留意されるべきである。
【０１３８】
ステップ４０２：送信端はＰＰＤＵを送信する。
【０１３９】
このステップで、任意に、送信端は、ブロードキャスト又はユニキャスト方式でＰＰＤＵを送信してよい。
【０１４０】
ステップ４０３：受信端は、ＰＰＤＵのニュー物理レイヤプリアンブルが繰り返しフィールドを含むかどうかを判定する。
【０１４１】
このステップで、繰り返しフィールドは、周波数領域においてＰＰＤＵのレガシー物理レイヤプリアンブルのプリセットフィールドとの前もってセットされたアウト・オブ・オーダー関係を有しているフィールドである。前もってセットされたアウト・オブ・オーダー関係の具体的な説明については、ステップ４０１を参照されたい。詳細はここで再び記載されない。ニュー物理レイヤプリアンブルが繰り返しフィールドを含む場合に、ＰＰＤＵはターゲットＰＰＤＵ、すなわち、次世代ＰＰＤＵである。
【０１４２】
任意に、ニュー物理レイヤプリアンブルが繰り返しフィールドを含むかどうかを判定することは、レガシー物理レイヤプリアンブルのプリセットフィールドに対して第１復号化処理プロセスを実行することによって取得される第１情報と、繰り返しフィールドに対して第２復号化処理プロセスを実行することによって取得される第２情報との間の類似性を決定することと、類似性が前もってセットされた閾値以上である場合に、ニュー物理レイヤプリアンブルが繰り返しフィールドを含むと決定し、あるいは、類似性が前もってセットされた閾値に満たない場合に、ニュー物理レイヤプリアンブルが繰り返しフィールドを含まないと決定することとを含んでよい。
【０１４３】
第１情報及び第２情報のタイプは、前もってセットされたアウト・オブ・オーダー関係を反映することができるタイプであってよいことが留意されるべきである。第１情報及び第２情報のタイプは同じであり、例えば、両方とも情報ビット又はデータシンボルである。第１復号化処理プロセス及び第２復号化処理プロセスは夫々、全ての復号化プロセスを含んでよく、あるいは、復号化処理の一部を含んでよい。
【０１４４】
類似性が前もってセットされた閾値に満たない場合に、ニュー物理レイヤプリアンブルが他の８０２．１１標準規格の自動検出に使用される情報を含むかどうかが判定されることが留意されるべきである。
【０１４５】
ステップ４０１に対応して、任意に、第１復号化処理プロセスと第２復号化処理プロセスとの間の関係は、次の３つのタイプを含んでよい。
【０１４６】
タイプ１：第１復号化処理プロセスは、デインターリービング処理を含み、第２復号化処理プロセスは、デインターリービング処理を含まない。
【０１４７】
例えば、レガシー物理レイヤプリアンブルのプリセットフィールドはＬ−ＳＩＧである。受信端は、８０２．１１の既存のレガシープリアンブルの復号化処理プロセスを実行することによってＬ−ＳＩＧを復号してよい。受信端がＣＬ−ＳＩＧを復号する場合に、受信端がコンステレーション点デマッピングを実行した後、受信端はデインターリービングを実行せず、バイナリ畳み込み符号化（ＢＣＣ，binary  convolutional  code）チャネル復号化を実行する。更に、受信端は、Ｌ−ＳＩＧを復号することによって取得された情報ビットと、ＣＬ−ＳＩＧを復号することによって取得された情報ビットとの間の類似性を比較してよい。類似性が前もってセットされた閾値よりも大きい場合に、受信端はＰＰＤＵがＥＨＴ  ＰＰＤＵであると決定し、あるいは、類似性が前もってセットされた閾値以下である場合に、受信端は、ＰＰＤＵがＥＨＴ  ＰＰＤＵでないと決定する。代替的に、受信端は、Ｌ−ＳＩＧをデインターリービングすることによって取得された符号化ビットと、ＣＬ−ＳＩＧに対してコンステレーション点デマッピングを実行することによって取得された符号化ビットとの間の類似性を比較してもよい。類似性が前もってセットされた閾値よりも大きい場合に、受信端は、ＰＰＤＵがＥＨＴ  ＰＰＤＵであると決定し、あるいは、類似性が前もってセットされた閾値以下である場合に、受信端は、ＰＰＤＵがＥＨＴ  ＰＰＤＵでないと決定する。
【０１４８】
タイプ２：第１復号化処理プロセスは、デスクランブリング処理を含まず、第２復号化処理プロセスは、デスクランブリング処理を含む。
【０１４９】
例えば、レガシー物理レイヤプリアンブルのプリセットフィールドはＬ−ＳＩＧである。受信端は、第２情報と第１情報との間の類似性を比較してよく、このとき、第２情報は、ＣＬ−ＳＩＧに対してデスクランブリング処理又はデスクランブリング処理後の他の処理（例えば、チャネル復号化）を実行することによって取得され、第１情報は、Ｌ−ＳＩＧに対して対応する処理を実行することによって取得される。類似性が前もってセットされた閾値よりも大きい場合に、受信端は、ＰＰＤＵがＥＨＴ  ＰＰＤＵであると決定し、あるいは、類似性が前もってセットされた閾値以下である場合に、受信端は、ＰＰＤＵがＥＨＴ  ＰＰＤＵでないと決定する。
【０１５０】
タイプ３：第１復号化処理プロセスは、データシンボルの非アウト・オブ・オーダー処理を含まず、第２復号化処理プロセスは、データシンボルの非アウト・オブ・オーダー処理を含む。
【０１５１】
ステップ４０１と同様に、データシンボルの非アウト・オブ・オーダー処理は、次の：データサブキャリアで運ばれたデータシンボルに対して巡回シフトを実行することと、奇数番目及び偶数番目のデータサブキャリアで運ばれたデータシンボルを入れ替えることと、高周波及び低周波データサブキャリアサブセットで運ばれたデータシンボルを入れ替えることとのうちのいずれか１つを含む。
【０１５２】
例えば、レガシー物理レイヤプリアンブルのプリセットフィールドはＬ−ＳＩＧである。受信端は、第２情報と第１情報との間の類似性を比較してよく、このとき、第２情報は、ＣＬ−ＳＩＧに対してデータシンボルの非アウト・オブ・オーダー処理又は非アウト・オブ・オーダー処理後の他の処理（例えば、チャネル復号化）を実行することによって取得され、第１情報は、Ｌ−ＳＩＧに対して対応する処理を実行することによって取得される。類似性が前もってセットされた閾値よりも大きい場合に、受信端は、ＰＰＤＵがＥＨＴ  ＰＰＤＵであると決定し、あるいは、類似性が前もってセットされた閾値以下である場合に、受信端は、ＰＰＤＵがＥＨＴ  ＰＰＤＵでないと決定する。ステップ４０３におけるデータシンボルの非アウト・オブ・オーダー処理は、ステップ４０１におけるアウト・オブ・オーダー処理の逆であることが留意されるべきである。データシンボルの非アウト・オブ・オーダー処理の具体的な内容については、アウト・オブ・オーダー処理を参照されたい。詳細はここで再び記載されない。
【０１５３】
任意に、上記の複数の自動検出方法は更に、レガシープリアンブルのＬ−ＳＩＧ内の長さフィールドの値が厳密に３で割り算される方法と組み合わせて使用されてもよい。代替的に、上記の複数の自動検出方法は更に、レガシープリアンブルのＬ−ＳＩＧ内の長さフィールドの値が厳密に３で割り算されない方法と組み合わせて使用されてもよい。
【０１５４】
任意に、ＰＰＤＵのニュー物理レイヤプリアンブルが繰り返しフィールドを含むと決定された後に、ＰＰＤＵを復号することによって取得された情報ビットは、次世代ＰＰＤＵのフレーム構造に基づいてパースされてよい。
【０１５５】
この実施形態で、送信端は、プリアンブルを含むＰＰＤＵを生成及び送信し、このとき、プリアンブルは、レガシー物理レイヤプリアンブル及びニュー物理レイヤプリアンブルを含み、ニュー物理レイヤプリアンブルは、繰り返しフィールドを含み、繰り返しフィールドは、周波数領域においてレガシー物理レイヤプリアンブルのプリセットフィールドとの前もってセットされたアウト・オブ・オーダー関係を有しているフィールドである。受信端は、受信されたＰＰＤＵのニュー物理レイヤプリアンブルが繰り返しフィールドを含むかどうかを判定する。ＰＰＤＵが繰り返しフィールドを含む場合に、受信端は、ＰＰＤＵがターゲットＰＰＤＵ、すなわち、次世代ＰＰＤＵであると決定する。このようにして、次世代の８０２．１１標準規格におけるＰＰＤＵの物理レイヤプリアンブルの自動検出は実施される。加えて、レガシー物理レイヤプリアンブルのプリセットフィールドのロバスト性は、繰り返しフィールドをセットすることによって増強される。これは、屋外伝送の可能性をもたらす。
【０１５６】
図６は、本願の他の実施形態に従う通信方法のフローチャートである。図６に示されるように、この実施形態の方法は、次のステップを含んでよい。
【０１５７】
ステップ６０１：送信端は、物理プリアンブルを含むＰＰＤＵを生成する。
【０１５８】
このステップで、物理プリアンブルは、レガシー物理レイヤプリアンブル及びニュー物理レイヤプリアンブルを含む。レガシー物理レイヤプリアンブルは、図３Ａから図３ＦのＬ−ＳＴＦ、Ｌ−ＬＴＦ、及びＬ−ＳＩＧを含み、８０２．１１ａ標準規格に対応する受信端によって復号化可能である。ニュー物理レイヤプリアンブルは、図３Ｂから図３Ｆのニュー物理レイヤプリアンブルとは異なっており、次世代の８０２．１１標準規格に対応する受信端によって復号化可能である。互換性を考慮して、次世代の８０２．１１標準規格に対応する受信端は、８０２．１１ａ標準規格にも対応することができる。従って、レガシー物理レイヤプリアンブルは、複数の受信端によって復号化可能であり、ニュー物理レイヤプリアンブルは、複数の受信端の一部によって復号化可能である。
【０１５９】
ニュー物理レイヤプリアンブルの１番目のフィールドは、レガシー物理レイヤプリアンブルのプリセットフィールドと同じであり、１番目のフィールド以外のニュー物理レイヤプリアンブルのいずれかのフィールドは、コンステレーション点マッピングのために回転ＢＰＳＫモードを使用する。代替的に、ニュー物理レイヤプリアンブルの２番目のフィールドが、レガシープリアンブルのプリセットフィールドと同じである。
【０１６０】
任意に、レガシー物理レイヤプリアンブルのプリセットフィールドは、Ｌ−ＳＴＦ、Ｌ−ＬＴＦ、又はＬ−ＳＩＧのいずれか１つであってよい。実施を簡単にするために、レガシー物理レイヤプリアンブルのプリセットフィールドはＬ−ＳＩＧであってよい。
【０１６１】
この実施形態で、ニュー物理レイヤプリアンブルの１番目のフィールドは、レガシー物理レイヤプリアンブルのプリセットフィールドと同じであり、１番目のフィールド以外のニュー物理レイヤプリアンブルのいずれかのフィールドは、ＰＰＤＵが次世代ＰＰＤＵであることを自動的に検出するための情報を運ぶように、コンステレーション点マッピングのために回転ＢＰＳＫモードを使用することが留意されるべきである。１番目のフィールドに加えて、ニュー物理レイヤプリアンブルは、次世代の８０２．１１標準規格で提供される新機能指示を運ぶために使用される、１番目のフィールド以外のフィールドを更に含んでもよい。
【０１６２】
例えば、次世代ＰＰＤＵはＥＨＴ  ＰＰＤＵであり、レガシー物理レイヤプリアンブルのプリセットフィールドはＬ−ＳＩＧである。ＥＨＴ  ＰＰＤＵのフレーム構造は、図７Ａに示され得る。ＲＬ−ＳＩＧは、ニュー物理レイヤプリアンブルにおける、Ｌ−ＳＩＧと同じであるフィールドである。
【０１６３】
図７Ａでは、具体的に、ＥＨＴ−ＳＩＧ１、ＥＨＴ−ＳＩＧ２、ＥＨＴ−ＳＴＦ、又はＥＨＴ−ＬＴＦのいずれかのフィールドは、コンステレーション点マッピングのために、ＱＢＰＳＫなどの回転ＰＢＳＫモードを使用する。
【０１６４】
１番目のフィールド以外のいずれかのフィールドがコンステレーション点マッピングのために回転ＢＰＳＫモードを使用する場合に、そのフィールドが複数のＯＦＤＭシンボルを含むならば、複数のＯＦＤＭシンボルは、コンステレーション点マッピングのために回転ＢＰＳＫモードを使用してよく、あるいは、複数のＯＦＤＭシンボルの一部（例えば、１番目のＯＦＤＭシンボル）が、コンステレーション点マッピングのために回転ＢＰＳＫモードを使用してよい。これは、本願において制限されない。任意に、ＲＬ−ＳＩＧに続く１番目のフィールドは、ＱＢＰＳＫ変調されてよく、あるいは、ＲＬ−ＳＩＧに続く１番目のＯＦＤＭシンボルは、ＱＢＰＳＫ変調されてよい。
【０１６５】
任意に、ニュー物理レイヤプリアンブルの２番目のフィールドは、コンステレーション点マッピングのために回転ＢＰＳＫモードを使用する。ニュー物理レイヤプリアンブルの２番目のフィールドは、コンステレーション点マッピングのために回転ＢＰＳＫモードを使用し、それにより、受信端は、可能な限り早く、ＰＰＤＵが次世代ＰＰＤＵであると決定する。
【０１６６】
代替的に、この実施形態で、物理レイヤプリアンブルの２番目のフィールド（例えば、２番目のＯＦＤＭシンボル）は、レガシープリアンブルのプリセットフィールドと同じであり、ＰＰＤＵが次世代ＰＰＤＵであることを自動的に検出するための情報を運んでよい。相応して、続くステップ６０３は、次により置き換えられてよい。受信端は、受信されたＰＰＤＵのニュー物理レイヤプリアンブルの２番目のフィールドがレガシー物理レイヤプリアンブルのプリセットフィールドと同じであるかどうかを判定する。更に、ＰＰＤＵのニュー物理レイヤプリアンブルの２番目のフィールドがレガシー物理レイヤプリアンブルのプリセットフィールドと同じである場合に、受信端は、ＰＰＤＵがターゲットＰＰＤＵ、すなわち、次世代ＰＰＤＵであると決定する。ＰＰＤＵのニュー物理レイヤプリアンブルの２番目のフィールドがレガシー物理レイヤプリアンブルのプリセットフィールドとは異なる場合に、受信端は、ＰＰＤＵがターゲットＰＰＤＵでないと決定する。任意に、ニュー物理レイヤプリアンブルの１番目のフィールド（例えば、１番目のＯＦＤＭシンボル）は、ＢＰＳＫ変調される。すなわち、ＯＦＤＭシンボル上の全てのデータサブキャリアで運ばれたシンボルは、ＢＰＳＫ変調される。
【０１６７】
例えば、次世代ＰＰＤＵはＥＨＴ  ＰＰＤＵであり、レガシー物理レイヤプリアンブルのプリセットフィールドはＬ−ＳＩＧである。ＥＨＴ  ＰＰＤＵのフレーム構造は、図７Ｂに示され得る。ＲＬ−ＳＩＧは、ニュー物理レイヤプリアンブルにおける、Ｌ−ＳＩＧと同じであるフィールドである。加えて、ここで述べられているＲＬ−ＳＩＧは、代替的に、上記の実施形態におけるＣＬ−ＳＩＧにより置き換えられてよい。
【０１６８】
図７Ａ及び図７ＢのＲＬ−ＳＩＧは、図３ＥのＲＬ−ＳＩＧと同じであり、両方とも、Ｌ−ＳＩＧの繰り返しフィールドであることが留意されるべきである。
【０１６９】
ステップ６０２：送信端はＰＰＤＵを送信する。
【０１７０】
このステップで、任意に、送信端は、ブロードキャスト又はユニキャスト方式でＰＰＤＵを送信してよい。
【０１７１】
ステップ６０３：受信端は、ＰＰＤＵのニュー物理レイヤプリアンブルの１番目のフィールドがレガシー物理レイヤプリアンブルのプリセットフィールドと同じであるかどうかと、１番目のフィールド以外のニュー物理レイヤプリアンブルのいずれかがコンステレーション点マッピングのために回転ＢＰＳＫモードを使用しているかどうかとを判定する。
【０１７２】
このステップで、ＰＰＤＵのニュー物理レイヤプリアンブルの１番目のフィールドがレガシー物理レイヤプリアンブルのプリセットフィールドと同じであり、かつ、１番目のフィールド以外のニュー物理レイヤプリアンブルのいずれかのフィールドがコンステレーション点マッピングのために回転ＢＰＳＫモードを使用している場合に、受信端は、ＰＰＤＵがターゲットＰＰＤＵ、すなわち、次世代ＰＰＤＵであると決定する。ＰＰＤＵのニュー物理レイヤプリアンブルの１番目のフィールドがレガシー物理レイヤプリアンブルのプリセットフィールドとは異なるか、あるいは、１番目のフィールド以外のニュー物理レイヤプリアンブルのいずれかのフィールドがコンステレーション点マッピングのために回転ＢＰＳＫモードを使用しない場合に、受信端は、ＰＰＤＵのフレーム構造が次世代ＰＰＤＵのフレーム構造ではないと決定する。
【０１７３】
任意に、例えば、Ｌ−ＳＩＧ又はＥＨＴ−ＳＩＧ１などのレガシー物理レイヤプリアンブルは、コンステレーション点マッピングのためにＱＢＰＳＫモードを使用する。受信端は、最初に、ＲＬ−ＳＩＧを復号し、それから、ＲＬ−ＳＩＧとＬ−ＳＩＧとの間の類似性を比較してよい。類似性が閾値よりも大きい場合に、受信端は、引き続き、ＥＨＴ−ＳＩＧ１がコンステレーション点マッピングのためにＱＢＰＳＫモードを使用しているかどうかを判定し、すなわち、Ｑ軸エネルギからＩ軸エネルギを減じることによって得られる差が閾値よりも大きいかどうかを比較する。類似性が前もってセットされた閾値よりも大きく、かつ、ＥＨＴ−ＳＩＧ１がコンステレーション点マッピングのためにＱＢＰＳＫモードを使用している場合に、受信端は、受信されたＰＰＤＵがＥＨＴ  ＰＰＤＵであると決定する。類似性が閾値よりも大きいが、ＥＨＴ−ＳＩＧ１がコンステレーション点マッピングのためにＱＢＰＳＫモードを使用していない場合には、受信端は、受信されたＰＰＤＵが８０２．１１ａｘ  ＨＥ  ＰＰＤＵであると決定する。
【０１７４】
任意に、上記の複数の自動検出方法は更に、レガシープリアンブルのＬ−ＳＩＧ内の長さフィールドの値が厳密に３で割り算される方法と組み合わせて使用されてもよい。代替的に、上記の複数の自動検出方法は、レガシープリアンブルのＬ−ＳＩＧ内の長さフィールドの値が厳密に３で割り算されない例と組み合わせて使用されてもよい。
【０１７５】
８０２．１１ａｘの受信端がステップ６０１でＰＰＤＵを受信する場合に、８０２．１１ａｘの受信端は、ＲＬ−ＳＩＧとＬ−ＳＩＧとの間の類似性を比較することによって、受信されたＰＰＤＵが８０２．１１ａｘ  ＨＥ  ＰＰＤＵであると決定する可能性があることが留意されるべきである。しかし、ＰＰＤＵはＨＥ  ＰＰＤＵでないから、たとえ８０２．１１ａｘの受信端が不正確に復号化を行うとしても、ＰＰＤＵは影響を及ぼされない。
【０１７６】
任意に、８０２．１１ａｘの受信端が、ＰＰＤＵが次世代ＰＰＤＵでないと決定した後に、８０２．１１ａｘの受信端は更に、ＰＰＤＵが他のＰＰＤＵであるかどうか、例えば、ＰＰＤＵがＶＨＴ  ＰＰＤＵであるかどうかを判定してよい。
【０１７７】
任意に、８０２．１１ａｘの受信端が、ＰＰＤＵが次世代ＰＰＤＵであると決定した後に、８０２．ａｘの受信端は、次世代ＰＰＤＵのフレーム構造に基づいて、ＰＰＤＵを復号することによって得られた情報ビットをパースしてよい。
【０１７８】
この実施形態で、送信端は、プリアンブルを含むＰＰＤＵを生成及び送信し、このとき、プリアンブルは、レガシー物理レイヤプリアンブル及びニュー物理レイヤプリアンブルを含み、ニュー物理レイヤプリアンブルの１番目のフィールドは、レガシー物理レイヤプリアンブルのプリセットフィールドと同じであり、１番目のフィールド以外のニュー物理レイヤプリアンブルのいずれかのフィールドは、コンステレーション点マッピングのために回転ＢＰＳＫモードを使用する。受信端は、受信されたＰＰＤＵのニュー物理レイヤプリアンブルの１番目のフィールドがレガシー物理レイヤプリアンブルのプリセットフィールドと同じであるかどうかと、１番目のフィールド以外のニュー物理レイヤプリアンブルのいずれかのフィールドがコンステレーション点マッピングのために回転ＢＰＳＫモードを使用しているかどうかとを判定する。受信されたＰＰＤＵのニュー物理レイヤプリアンブルの１番目のフィールドがレガシー物理レイヤプリアンブルのプリセットフィールドと同じであり、かつ、１番目のフィールド以外のニュー物理レイヤプリアンブルのいずれかのフィールドがコンステレーション点マッピングのために回転ＢＰＳＫモードを使用している場合に、受信端は、ＰＰＤＵがターゲットＰＰＤＵ、すなわち、次世代ＰＰＤＵであると決定する。このようにして、次世代の８０２．１１標準規格におけるＰＰＤＵの物理レイヤプリアンブルの自動検出は実施される。
【０１７９】
図８は、本願の更なる他の実施形態に従う通信方法のフローチャートである。図８に示されるように、この実施形態の方法は、次のステップを含んでよい。
【０１８０】
ステップ８０１：送信端は、プリアンブルを含むＰＰＤＵを生成する。
【０１８１】
このステップで、プリアンブルは、ニュー物理レイヤプリアンブルを含む。ニュー物理レイヤプリアンブルは、プリセットフィールドを含み、プリセットフィールドのチェックビットは、データサブキャリアのプリセット位置に位置し、プリセット位置は、ＰＰＤＵのフレーム構造を示すために使用される。
【０１８２】
この実施形態で、プリセットフィールドのチェックビットは、ＰＰＤＵが次世代ＰＰＤＵであることを自動的に検出するための情報を運ぶように、データサブキャリアのプリセット位置に位置することが留意されるべきである。プリセットフィールドは更に、次世代の８０２．１１標準規格で提供される新機能指示を運ぶために使用されてもよい。例えば、ＰＰＤＵは、ＥＨＴ  ＰＰＤＵである。プリセットフィールドは、図３Ｈに示されるフィールド内のＥＨＴ−ＳＩＧ１であってよく、あるいは、図５又は図７に示されるＥＨＴ−ＳＩＧ１であってよい。
【０１８３】
目下の技術において、ＰＰＤＵにおけるチェックビットは、データサブキャリアの特定の位置に位置する。具体的に言えば、チェックビットは、データ信号を運ぶデータサブキャリアの後かつＢＣＣ復号化に使用されるテイルビットの前に位置する。この実施形態のプリセット位置は、ＰＰＤＵが次世代ＰＰＤＵであることを自動的に検出するための情報を運ぶために、目下の技術におけるチェックビットの位置とは異なるよう、その特定の位置以外のいずれかの位置であってよい。任意に、プリセット位置は、データサブキャリアの開始位置である。
【０１８４】
任意に、プリセットフィールドは、ニュー物理レイヤプリアンブルの１番目のフィールド又は２番目のフィールドであってよい。
【０１８５】
プリセットフィールドが複数のＯＦＤＭシンボルを含む場合に、複数のＯＦＤＭシンボルのチェックビットは全てデータサブキャリアのプリセット位置に位置してよく、あるいは、複数のＯＦＤＭシンボルの一部のチェックビットがデータサブキャリアのプリセット位置に位置してよいことが留意されるべきである。これは本願において制限されない。
【０１８６】
任意に、本願の方法は、図４に示される方法の実施形態と組み合わされてよい。具体的に、図４に示される実施形態における繰り返しフィールドを使用することによって次世代ＰＰＤＵが示されることに基づいて、ニュー物理レイヤプリアンブルのプリセットフィールドのチェックビットの位置がプリセット位置であることは更に、次世代ＰＰＤＵを示すために使用されてもよい。相応して、受信端は、ＰＰＤＵのニュー物理レイヤプリアンブルが繰り返しフィールドを含むかどうかを判定する必要があり、また、ニュー物理レイヤプリアンブルのプリセットフィールドのチェックビットの位置がプリセット位置であるかどうかも判定する必要がある。ニュー物理レイヤプリアンブルが繰り返しフィールドを含み、かつ、ニュー物理レイヤプリアンブルのプリセットフィールドのチェックビットの位置がプリセット位置である場合に、受信端は、ＰＰＤＵのフレーム構造が次世代ＰＰＤＵのフレーム構造であると決定し、すなわち、受信端は、ＰＰＤＵが次世代ＰＰＤＵであると決定する。
【０１８７】
任意に、本願の方法は、図６に示される方法の実施形態と組み合わされてよい。具体的に、図６に示される実施形態において次世代ＰＰＤＵを示すために、ニュー物理レイヤプリアンブルの１番目のフィールドがレガシープリアンブルのプリセットフィールドと同じであり、かつ、１番目のフィールド以外のニュー物理レイヤプリアンブルのいずれかのフィールドがコンステレーション点マッピングのために回転ＢＰＳＫモードを使用することに基づいて、ニュー物理レイヤプリアンブルのプリセットフィールドの位置がプリセット位置であることは、次世代ＰＰＤＵを示すために更に使用されてよい。相応して、受信端は、ＰＰＤＵ内のニュー物理レイヤプリアンブルの１番目のフィールドがレガシープリアンブルのプリセットフィールドと同じであるかどうかと、１番目のフィールド以外のニュー物理レイヤプリアンブルのいずれかのフィールドがコンステレーション点マッピングのために回転ＢＰＳＫモードを使用しているかどうかとを判定する必要があり、また、ニュー物理レイヤプリアンブルのプリセットフィールドのチェックビットの位置がプリセット位置であるかどうかも判定する必要がある。ニュー物理レイヤプリアンブルの１番目のフィールドがレガシープリアンブルのプリセットフィールドと同じであり、１番目のフィールド以外のニュー物理レイヤプリアンブルのいずれかのフィールドがコンステレーション点マッピングのために回転ＢＰＳＫモードを使用しており、かつ、ニュー物理レイヤプリアンブルのプリセットフィールドのチェックビットの位置がプリセット位置である場合に、受信端は、ＰＰＤＵのフレーム構造が次世代ＰＰＤＵのフレーム構造であると決定する。
【０１８８】
任意に、この実施形態の方法では、ニュー物理レイヤプリアンブルの１番目のフィールドがレガシープリアンブルのプリセットフィールドと同じである場合に、それにより、ＰＰＤＵがＨＥ  ＰＰＤＵ又は次世代ＰＰＤＵであることが示されることに基づいて、ニュー物理レイヤプリアンブルのプリセットフィールドのチェックビットの位置がプリセット位置であることは、次世代ＰＰＤＵを示すために更に使用されてよい。相応して、受信端は、ＰＰＤＵのニュー物理レイヤプリアンブルの１番目のフィールドがニュー物理レイヤプリアンブルのプリセットフィールドと同じであるかどうかを判定する必要があり、また、ニュー物理レイヤプリアンブルのプリセットフィールドのチェックビットの位置がプリセット位置であるかどうかも判定する必要がある。ＰＰＤＵのニュー物理レイヤプリアンブルの１番目のフィールドがニュー物理レイヤプリアンブルのプリセットフィールドと同じであり、かつ、ニュー物理レイヤプリアンブルのプリセットフィールドのチェックビットの位置がプリセット位置である場合に、受信端は、ＰＰＤＵのフレーム構造が次世代ＰＰＤＵのフレーム構造であると決定する。
【０１８９】
ＰＰＤＵのフレーム構造は、レガシー物理レイヤプリアンブルを更に含んでよいことが留意されるべきである。レガシー物理レイヤプリアンブルは、図３Ａから図３ＦのＬ−ＳＴＦ、Ｌ−ＬＴＦ、及びＬ−ＳＩＧを含み、８０２．１１ａ標準規格に対応する受信端によって復号化可能である。ニュー物理レイヤプリアンブルは、図３Ｂから図３Ｆのニュー物理レイヤプリアンブルとは異なっており、次世代８０２．１１標準規格に対応する受信端によって復号化可能である。互換性を考慮して、次世代の８０２．１１標準規格に対応する受信端は、８０２．１１ａ標準規格に対応することができる。従って、レガシー物理レイヤプリアンブルは、複数の受信端によって復号化可能であり、ニュー物理レイヤプリアンブルは、複数の受信端の一部によって復号化可能である。
【０１９０】
ステップ８０２：送信端はＰＰＤＵを送信する。
【０１９１】
このステップで、任意に、送信端は、ブロードキャスト又はユニキャスト方式でＰＰＤＵを送信してよい。
【０１９２】
ステップ８０３：受信端は、ＰＰＤＵのニュー物理レイヤプリアンブルのプリセットフィールドのチェックビットがデータサブキャリアのプリセット位置に位置するかどうかを判定する。
【０１９３】
このステップで、ＰＰＤＵのニュー物理レイヤプリアンブルのプリセットフィールドのチェックビットがデータサブキャリアのプリセット位置に位置する場合に、例えば、プリセット位置にあるＣＲＣフィールドが、復号されたプリセットフィールドをチェックするために選択され、チェックが成功する場合に、受信端は、ＰＰＤＵがターゲットＰＰＤＵ、すなわち、次世代ＰＰＤＵであると決定する。ＰＰＤＵのニュー物理レイヤプリアンブルのプリセットフィールドのチェックビットがデータサブキャリアのプリセット位置に位置しない場合に、例えば、プリセット位置にあるＣＲＣフィールドが、復号されたプリセットフィールドをチェックするために選択されるが、チェックが失敗する場合に、受信端は、ＰＰＤＵのフレーム構造が次世代ＰＰＤＵのフレーム構造でないと決定する。
【０１９４】
任意に、受信端は、プリセット位置に基づいて、復号されたプリセットフィールド（ＥＨＴ−ＳＩＧ１）からチェックビットを取り出し、それから、情報ビットに対してチェックを実行（例えば、循環冗長検査（cyclic  redundancy  check，ＣＲＣ）を実行）してよい。チェックが成功する場合に、受信端は、受信されたＰＰＤＵが次世代ＰＰＤＵであると決定する。
【０１９５】
任意に、ＰＰＤＵが次世代ＰＰＤＵでないと受信端が決定した後、受信端は更に、ＰＰＤＵが他のＰＰＤＵであるかどうか、例えば、ＰＰＤＵがＶＨＴ  ＰＰＤＵであるかどうかを判定してよい。
【０１９６】
任意に、ＰＰＤＵが次世代ＰＰＤＵであると受信端が決定した後、受信端は、次世代ＰＰＤＵのフレーム構造に基づいて、ＰＰＤＵを復号することによって得られた情報ビットをパースしてよい。
【０１９７】
この実施形態で、送信端は、プリアンブルを含むＰＰＤＵを生成及び送信し、このとき、プリアンブルは、ニュー物理レイヤプリアンブルを含み、ニュー物理レイヤプリアンブルは、プリセットフィールドを含み、プリセットフィールドのチェックビットは、データサブキャリアのプリセット位置に位置し、プリセット位置は、ＰＰＤＵのフレーム構造を示すために使用される。受信端は、受信されたＰＰＤＵのニュー物理レイヤプリアンブルのプリセットフィールドのチェックビットがデータサブキャリアのプリセット位置に位置するかどうかを判定する。ニュー物理レイヤプリアンブルのプリセットフィールド内のチェックビットがデータサブキャリアのプリセット位置に位置する場合に、受信端は、ＰＰＤＵがターゲットＰＰＤＵ、すなわち、次世代ＰＰＤＵであると決定する。このようにして、次世代の８０２．１１標準規格におけるＰＰＤＵの物理レイヤプリアンブルの自動検出は実施される。
【０１９８】
任意に、上記の複数の自動検出方法は更に、レガシープリアンブルのＬ−ＳＩＧ内の長さフィールドの値が厳密に３で割り算される方法と組み合わせて使用されてもよい。代替的に、上記の複数の自動検出方法は更に、レガシープリアンブルのＬ−ＳＩＧ内の長さフィールドの値が厳密に３で割り算されない方法と組み合わせて使用されてもよい。
【０１９９】
上記の複数の自動検出方法は、次世代ＰＰＤＵの自動検出を実施するよう自由に組み合わされてよいことが留意されるべきである。
【０２００】
繰り返しフィールド、１番目のフィールド、１番目のフィールド以外のフィールド、レガシー物理レイヤプリアンブルのプリセットフィールド、及びニュー物理レイヤプリアンブルのプリセットフィールドは夫々、ＯＦＤＭシンボルとして理解されてよいことが留意されるべきである。具体的に、１番目のフィールドは、１番目のＯＦＤＭシンボルであってよく、２番目のフィールドは、２番目のＯＦＤＭシンボルとして理解されてよく、１番目のフィールド以外のフィールドは、１番目のＯＦＤＭシンボル以外のＯＦＤＭシンボルとして理解されてよい。例えば、１番目のフィールド以外のフィールドは、２番目のＯＦＤＭシンボルとして理解されてよい。代替的に、繰り返しフィールド、１番目のフィールド、１番目のフィールド以外のフィールド、レガシー物理レイヤプリアンブルのプリセットフィールド、及びニュー物理レイヤプリアンブルのプリセットフィールドは夫々、１つ以上のＯＦＤＭシンボルによって構成されるフィールドとして理解されてよい。例えば、Ｌ−ＬＴＦは、２つのＯＦＤＭシンボルを含み、Ｌ−ＳＩＧは、１つのＯＦＤＭシンボルを含む。
【０２０１】
任意に、上記の実施形態の全てで、送信端は更に、周波数領域におけるＰＰＤＵのＬ−ＳＩＧに対して、４つのサブキャリアで運ばれたデータシンボルを付加し、データシンボルを特別な値にセットして、ＰＰＤＵが次世代ＰＰＤＵであることを自動的に検出するための情報を更に運んでもよい。任意に、４つのサブキャリアは、５２個の使用サブキャリア（４８個のデータサブキャリア及び４つのパイロットサブキャリアを含んでよい）の両側に追加的に加えられる２つのサブキャリアであってよい。４つのサブキャリアの番号は、［−２８  −２７  ２７  ２８］であってよい。低周波から高周波へと順位付けされた４つのサブキャリアで運ばれたデータシンボルの特別な値は、８０２．１１ａｘ標準規格における［−１  −１  −１  −１  １］以外の値、例えば、［−１  −１  −１  −１］及び［１  −１  −１  −１］であってよい。
【０２０２】
図９は、本願の実施形態に従う通信装置の略構造図である。この実施形態で提供される通信装置は、送信端に使用されてよい。図９に示されるように、この実施形態の通信装置は、生成ユニット９０１及び送信ユニット９０２を含んでよい。
【０２０３】
生成ユニット９０１は、プリアンブルを含む物理レイヤプロトコルデータユニットＰＰＤＵを生成するよう構成され、このとき、プリアンブルは、レガシー物理レイヤプリアンブル及びニュー物理レイヤプリアンブルを含み、ニュー物理レイヤプリアンブルは、繰り返しフィールドを含み、繰り返しフィールドは、周波数領域においてレガシー物理レイヤプリアンブルのプリセットフィールドとの前もってセットされたアウト・オブ・オーダー関係を有しているフィールドである。
【０２０４】
送信ユニット９０２は、ＰＰＤＵを送信するよう構成される。
【０２０５】
可能な実施設計で、レガシー物理レイヤプリアンブルのプリセットフィールドの直交周波数分割多重化ＯＦＤＭシンボルを生成する第１周波数領域処理プロセスは、インターリービング処理を含み、繰り返しフィールドのＯＦＤＭシンボルを生成する第２周波数領域処理プロセスは、インターリービング処理を含まず、あるいは、
第１周波数領域処理プロセスは、スクランブリング処理を含まず、第２周波数領域処理プロセスは、スクランブリング処理を含み、あるいは、
第１周波数領域処理プロセスは、データシンボルのアウト・オブ・オーダー処理を含まず、第２周波数領域処理プロセスは、データシンボルのアウト・オブ・オーダー処理を含む。
【０２０６】
可能な実施設計で、アウト・オブ・オーダー処理は、次の
データサブキャリアで運ばれたデータシンボルに対して巡回シフトを実行することと、奇数番目及び偶数番目のデータサブキャリアで運ばれたデータシンボルを入れ替えることと、高周波及び低周波データサブキャリアサブセットで運ばれたデータシンボルを入れ替えることと
のうちのいずれか１つを含む。
【０２０７】
可能な実施設計で、２位相偏移変調ＢＰＳＫモードが、第２周波数領域処理プロセスにおけるコンステレーション点マッピングのために使用される。
【０２０８】
可能な実施設計で、レガシー物理レイヤプリアンブルは、複数の受信端によって復号化可能であり、ニュー物理レイヤプリアンブルは、複数の受信端の一部によって復号化可能である。
【０２０９】
可能な実施設計で、繰り返しフィールドのためのチャネル符号器へのビット入力は、周波数領域処理プロセスにおけるレガシー物理レイヤプリアンブルのプリセットフィールドのためのチャネル符号器へのビット入力と同じである
【０２１０】
可能な実施設計で、レガシー物理レイヤプリアンブルのプリセットフィールドは、レガシー信号フィールドＬ−ＳＩＧである。
【０２１１】
可能な実施設計で、繰り返しフィールドは、ニュー物理レイヤプリアンブルの１番目のフィールド又は２番目のフィールドである。
【０２１２】
可能な実施設計で、繰り返しフィールドは、ニュー物理レイヤプリアンブルの１番目のフィールドであり、１番目のフィールド以外のニュー物理レイヤプリアンブルのいずれかのフィールドは、コンステレーション点マッピングのために回転ＢＰＳＫモードを使用する。
【０２１３】
この実施形態で提供される通信装置は、図４に示される実施形態における送信端側での技術的解決法を実行するよう構成されてよい。実施原理及びその技術的効果は同様であり、詳細はここで再び記載されない。
【０２１４】
図１０は、本願の他の実施形態に従う通信装置の略構造図である。この実施形態で提供される通信装置は、受信端に使用されてよい。図１０に示されるように、この実施形態の通信装置は、受信ユニット１００１及び決定ユニット１００２を含んでよい。
【０２１５】
受信ユニット１００１は、プリアンブルを含む物理レイヤプロトコルデータユニットＰＰＤＵを受信するよう構成され、このとき、プリアンブルは、レガシー物理レイヤプリアンブル及びニュー物理レイヤプリアンブルを含む。
【０２１６】
決定ユニット１００２は、周波数領域においてレガシー物理レイヤプリアンブルのプリセットフィールドとの前もってセットされたアウト・オブ・オーダー関係を有しているフィールドである繰り返しフィールドをニュー物理レイヤプリアンブルが含むかどうかを判定し、
ニュー物理レイヤプリアンブルが繰り返しフィールドを含む場合に、ＰＰＤＵがターゲットＰＰＤＵであると決定するよう構成される。
【０２１７】
可能な実施設計で、決定ユニットが、ニュー物理レイヤプリアンブルが繰り返しフィールドを含むかどうかを判定するよう構成されることは、具体的に、
レガシー物理レイヤプリアンブルのプリセットフィールドに対して第１復号化処理プロセスを実行することによって取得される第１情報と、繰り返しフィールドに対して第２復号化処理プロセスを実行することによって取得される第２情報との間の類似性を決定することと、
類似性が前もってセットされた閾値以上である場合に、ニュー物理レイヤプリアンブルが繰り返しフィールドを含むと決定し、あるいは、
類似性が前もってセットされた閾値に満たない場合に、ニュー物理レイヤプリアンブルが繰り返しフィールドを含まないと決定することと
を含む。
【０２１８】
可能な実施設計で、第１復号化処理プロセスは、デインターリービング処理を含み、第２復号化処理プロセスは、デインターリービング処理を含まず、あるいは、
第１復号化処理プロセスは、デスクランブリング処理を含まず、第２復号化処理プロセスは、デスクランブリング処理を含み、あるいは、
第１復号化処理プロセスは、データシンボルの非アウト・オブ・オーダー処理を含まず、第２復号化処理プロセスは、データシンボルの非アウト・オブ・オーダー処理を含む。
【０２１９】
可能な実施設計で、データ処理の非アウト・オブ・オーダー処理は、次の
データサブキャリアで運ばれたデータシンボルに対して巡回シフトを実行することと、奇数番目及び偶数番目のデータサブキャリアで運ばれたデータシンボルを入れ替えることと、高周波及び低周波データサブキャリアサブセットで運ばれたデータシンボルを入れ替えることと
のうちのいずれか１つを含む。
【０２２０】
この実施形態で提供される通信装置は、図４に示される実施形態における受信端側での技術的解決法を実行するよう構成されてよい。実施原理及びその技術的効果は同様であり、詳細はここで再び記載されない。
【０２２１】
本願の実施形態は、送信端に使用される通信装置を更に提供する。通信装置の構造は、図９に示される構造と同様であり、通信装置はやはり、生成ユニット及び送信ユニットを含んでよい。
【０２２２】
生成ユニットは、プリアンブルを含む物理レイヤプロトコルデータユニットＰＰＤＵを生成するよう構成され、このとき、プリアンブルは、レガシー物理レイヤプリアンブル及びニュー物理レイヤプリアンブルを含み、ニュー物理レイヤプリアンブルの１番目のフィールドは、レガシー物理レイヤプリアンブルのプリセットフィールドと同じであり、１番目のフィールド以外のニュー物理レイヤプリアンブルのいずれかのフィールドは、コンステレーション点マッピングのために回転２位相偏移変調ＢＰＳＫモードを使用する。
【０２２３】
送信ユニットは、ＰＰＤＵを送信するよう構成される。
【０２２４】
可能な実施設計で、ニュー物理レイヤプリアンブルの２番目のフィールドは、コンステレーション点マッピングのために回転ＢＰＳＫモードを使用する。
【０２２５】
この実施形態で提供される通信装置は、図６に示される実施形態における送信端側での技術的解決法を実行するよう構成されてよい。実施原理及びその技術的効果は同様であり、詳細はここで再び記載されない。
【０２２６】
本願の実施形態は、受信端に使用される通信装置を更に提供する。通信装置の構造は、図１０に示される構造と同様であり、通信装置はやはり、受信ユニット及び決定ユニットを含んでよい。
【０２２７】
受信ユニットは、プリアンブルを含む物理レイヤプロトコルデータユニットＰＰＤＵを受信するよう構成され、このとき、プリアンブルは、レガシー物理レイヤプリアンブル及びニュー物理レイヤプリアンブルを含む。
【０２２８】
決定ユニットは、ニュー物理レイヤプリアンブルの１番目のフィールドがレガシー物理レイヤプリアンブルのプリセットフィールドと同じであるかどうかと、１番目のフィールド以外のニュー物理レイヤプリアンブルのいずれかのフィールドがコンステレーション点マッピングのために回転２位相偏移変調ＢＰＳＫモードを使用するかどうかとを判定し、
ニュー物理レイヤプリアンブルの１番目のフィールドがレガシー物理レイヤプリアンブルのプリセットフィールドと同じであり、かつ、１番目のフィールド以外のニュー物理レイヤプリアンブルのいずれかのフィールドがコンステレーション点マッピングのために回転ＢＰＳＫモードを使用する場合に、ＰＰＤＵがターゲットＰＰＤＵであると決定するよう構成される。
【０２２９】
可能な実施設計で、１番目のフィールド以外のニュー物理レイヤプリアンブルのいずれかのフィールドがコンステレーション点マッピングのために回転２位相偏移変調ＢＰＳＫモードを使用するかどうかを判定することは、
ニュー物理レイヤプリアンブルの２番目のフィールドがコンステレーション点マッピングのために回転ＢＰＳＫモードを使用するかどうかを判定することを含む。
【０２３０】
この実施形態で提供される通信装置は、図６に示される実施形態における受信端側での技術的解決法を実行するよう構成されてよい。実施原理及びその技術的効果は同様であり、詳細はここで再び記載されない。
【０２３１】
本願の実施形態は、送信端に使用される通信装置を更に提供する。通信装置の構造は、図９に示される構造と同様であり、通信装置はやはり、生成ユニット及び送信ユニットを含んでよい。
【０２３２】
生成ユニットは、ニュー物理レイヤプリアンブルを含む物理レイヤプロトコルデータユニットＰＰＤＵを生成するよう構成され、このとき、ニュー物理レイヤプリアンブルは、プリセットフィールドを含み、プリセットフィールドのチェックビットは、データサブキャリアのプリセット位置に位置し、プリセット位置は、ＰＰＤＵのフレーム構造を示すために使用される。
【０２３３】
送信ユニットは、ＰＰＤＵを送信するよう構成される。
【０２３４】
可能な実施設計で、プリセット位置は、データサブキャリアの開始位置である。
【０２３５】
可能な実施設計で、プリセットフィールドは、ニュー物理レイヤプリアンブルの１番目のフィールド又は２番目のフィールドである。
【０２３６】
この実施形態で提供される通信装置は、図８に示される実施形態における送信端側での技術的解決法を実行するよう構成されてよい。実施原理及びその技術的効果は同様であり、詳細はここで再び記載されない。
【０２３７】
本願の実施形態は、受信端に使用される通信装置を更に提供する。通信装置の構造は、図１０に示される構造と同様であり、通信装置はやはり、受信ユニット及び決定ユニットを含んでよい。
【０２３８】
受信ユニットは、プリアンブルを含む物理レイヤプロトコルデータユニットＰＰＤＵを受信するよう構成され、このとき、プリアンブルは、ニュー物理レイヤプリアンブルを含む。
【０２３９】
決定ユニットは、ニュー物理レイヤプリアンブルのプリセットフィールドのチェックビットがデータサブキャリアのプリセット位置に位置するかどうかを判定し、プリセット位置は、ＰＰＤＵがターゲットＰＰＤＵであることを示すために使用され、
ニュー物理レイヤプリアンブルのプリセットフィールドのチェックビットがデータサブキャリアのプリセット位置に位置する場合に、ＰＰＤＵがターゲットＰＰＤＵであると決定するよう構成される。
【０２４０】
可能な実施設計で、プリセット位置は、データサブキャリアの開始位置である。
【０２４１】
可能な実施設計で、プリセットフィールドは、ニュー物理レイヤプリアンブルの１番目のフィールド又は２番目のフィールドである。
【０２４２】
この実施形態で提供される通信装置は、図８に示される実施形態における受信端側での技術的解決法を実行するよう構成されてよい。実施原理及びその技術的効果は同様であり、詳細はここで再び記載されない。
【０２４３】
通信装置の上記のユニットへの分割は、単に、論理的な機能への分割であることが留意されるべきである。実際の実施では、全て又は一部のユニットは、１つの物理エンティティにまとめられてよく、あるいは、物理的に分離されてもよい。その上、全てのユニットは、プロッセシング要素によって呼び出されるソフトウェアの形で実施されても、又はハードウェアの形で実施されてもよい。代替的に、一部のユニットは、プロセッシング要素によって呼び出されるソフトウェアの形で実施されてよく、一部のユニットは、ハードウェアの形で実施されてよい。例えば、送信ユニットは、別に配置されたプロセッシング要素であってよく、あるいは、通信装置のチップにおいて実装されてもよい。その上、送信ユニットは、プログラムの形で通信装置のメモリに記憶され、通信装置のプロセッシング要素によって、送信ユニットの機能を実行するよう呼び出されてもよい。他のユニットの実施は、送信ユニットの実施と同様である。加えて、一部又は全てのユニットは、一体化されてもよく、あるいは、ユニットは、独立して実施されてもよい。ここでのプロセッシング要素は、信号処理能力を備えている集積回路であってよい。実施プロセスにおいて、上記の方法のステップ又は上記のユニットは、プロセッシング要素内のハードウェア集積論理回路を使用することによって、又はソフトウェアの形をとる命令を使用することによって、実施され得る。更に、送信ユニットは、送信を制御するユニットであり、アンテナ及び無線周波数装置などの、通信装置の送信装置を通じて情報を受信してよい。
【０２４４】
上記のユニットは、上記の方法を実施する１つ以上の集積回路、例えば、１つ以上の特定用途向け集積回路（Application  Specific  Integrated  Circuit，ＡＳＩＣ）、１つ以上のマイクロプロセッサ（例えば、デジタル信号プロセッサ，ＤＳＰ）、１つ以上のフィールド・プログラマブル・ゲート・アレイ（Field  Programmable  Gate  Array，ＦＰＧＡ）、などとして構成されてよい。他の例として、上記のユニットの１つが、プログラムを呼び出すプロセッシング要素によって実施される場合に、プロセッシング要素は、中央演算処理装置（Central  Processing  Unit，ＣＰＵ）又はプログラムを呼び出すことができる他のプロセッサなどの汎用プロセッサであってよい。他の例として、ユニットは、一体化され、システム・オン・チップ（system-on-a-chip，ＳＯＣ）として実施されてもよい。
【０２４５】
図１１は、本願の実施形態に従う通信デバイス１１０のハードウェア構造の概略図である。通信装置１１０は、少なくとも１つのプロセッサ１１０１と、通信バス１１０２と、メモリ１１０３と、少なくとも１つの通信インターフェース１１０４とを含む。
【０２４６】
プロセッサ１１０１は、汎用の中央演算処理装置（central  processing  unit，ＣＰＵ）、マイクロプロセッサ、特定用途向け集積回路（application-specific  integrated  circuit，ＡＳＩＣ）、又は本願の解決法でプログラムの実行を制御するよう構成される１つ以上の集積回路であってよい。
【０２４７】
通信バス１１０２は、情報が上記のコンポーネント間で伝送されるチャネルを含んでよい。
【０２４８】
通信インターフェース１１０４は、トランシーバタイプの如何なる装置でもあり、他のデバイス又は通信ネットワーク、例えば、イーサネット、無線アクセスネットワーク（radio  access  network，ＲＡＮ）、若しくは無線ローカル・エリア・ネットワーク（wireless  local  area  networks，ＷＬＡＮ）と通信するよう構成される。
【０２４９】
メモリ１１０３は、リード・オンリー・メモリ（read-only  memory，ＲＯＭ）若しくは静的な情報及び命令を記憶可能な他のタイプの静的記憶デバイス、又はランダム・アクセス・メモリ（random  access  memory，ＲＡＭ）若しくは情報及び命令を記憶可能な他のタイプの動的記憶デバイスであってよく、あるいは、電気的消去可能なプログラム可能リード・オンリー・メモリ（electrically  erasable  programmable  read-only  memory，ＥＥＰＲＯＭ）、コンパクト・ディスク・リード・オンリー・メモリ（compact  disc  read-only  memory，ＣＤ−ＲＯＭ）若しくは他のコンパクト・ディスク・ストレージ、光学ディスクストレージ（圧縮光ディスク、レーザーディスク、光ディスク、デジタルバーサタイル光ディスク、ブルーレイ光ディスク、など）、磁気ディスク記憶媒体若しくは他の磁気記憶デバイス、又は期待されるプログラムコードを命令若しくはデータ構造の形で搬送若しくは記憶することができ、コンピュータによってアクセス可能であるあらゆる他の媒体であってよい。なお、これはそれらに限られない。メモリは、独立して存在してよく、バスを通じてプロセッサへ接続される。メモリは、代替的に、プロセッサと一体化されてよい。
【０２５０】
メモリ１１０３は、本願の解決法を実行するために使用されるアプリケーションプログラムコードを記憶するよう構成され、プロセッサ１１０１は、実行を制御する。プロセッサ１１０１は、本願の上記の実施形態で提供される通信方法を実施するために、メモリ１１０３に記憶されているアプリケーションプログラムコードを実行するよう構成される。
【０２５１】
代替的に、任意に、本願のこの実施形態で、プロセッサ１１０１は、本願の上記の実施形態で提供される通信方法におけるプロセッシング関連機能を実行してよく、通信インターフェース１１０４は、他のデバイス又は通信ネットワークとの通信に関与する。これは、本願のこの実施形態で特に制限されない。
【０２５２】
具体的な実施で、実施形態において、プロセッサ１１０１は、１つ以上のＣＰＵを含んでよい。
【０２５３】
具体的な実施で、実施形態において、通信デバイス１１０は、複数のプロセッサを含んでよい。プロセッサの夫々は、シングルコア（シングルＣＰＵ）プロセッサであってよく、あるいは、マルチコア（マルチＣＰＵ）プロセッサであってよい。ここでのプロセッサは、データ（例えば、コンピュータプログラム命令）を処理する１つ以上のデバイス、回路、及び／又はプロセッシングコアであってよい。
【０２５４】
具体的な実施で、実施形態において、通信デバイス１１０は、出力デバイス及び入力デバイスを更に含んでよい。出力デバイスは、プロセッサ１１０１と通信し、複数の方法で情報を表示してよい。例えば、出力デバイスは、液晶ディスプレイ（liquid  crystal  display，ＬＣＤ）、発光ダイオード（light  emitting  diode，ＬＥＤ）表示デバイス、陰極線管（cathode  ray  tube，ＣＲＴ）表示デバイス、プロジェクタ（projector）、などであってよい。入力デバイスは、プロセッサ１１０１と通信し、複数の方法でユーザ入力を受け取ってよい。例えば、入力デバイス、マウス、キーボード、タッチスクリーンデバイス、又はセンサデバイスであってよい。
【０２５５】
加えて、上述されたように、本願のこの実施形態で提供される通信装置１１０は、図１１に示されるデバイスのそれに類似した構造を有しているチップ、送信端、受信端、又はデバイスであってよい。通信装置１１０のタイプは、本願のこの実施形態において制限されない。
【０２５６】
この実施形態で、通信デバイス１１０は、集積を通じて実装される機能モジュールで与えられる。ここで、「モジュール」は、特定用途向け集積回路（Application-Specific  Integrated  Circuit，ＡＳＩＣ）、回路、１つ以上のソフトウェア若しくはファームウェアプログラムを実行するプロセッサ、メモリ、集積論理回路、及び／又は上記の機能を提供することができる他のコンポーネントであってよい。簡単な実施形態では、当業者であれば、通信デバイス１１０が図１１に示される形をとり得ると考えることができる。例えば、図９及び図１０のユニットの機能／実施プロセスは、図１１のプロセッサ１１０１及びメモリ１１０３によって実施されてよい。具体的に、図９の生成ユニットは、メモリ１１０３に記憶されているアプリケーションプログラムコードを呼び出すことによってプロセッサ１１０１によって実行されてよい。これは、本願のこの実施形態で制限されない。代替的に、図９の送信ユニットは、図１１の通信インターフェース１１０４によって実施されてよい。これは、本願のこの実施形態で制限されない。
【０２５７】
図１１に示される実施形態で提供される通信デバイスは、具体的に、図４、図６、又は図８に示される実施形態における送信端であってよいことが留意されるべきである。メモリ１１０３に記憶されているプログラムを呼び出す場合に、プロセッサ１１０１は、図４、図６、又は図８に示される実施形態で提供される送信端側での方法を実行してよい。
【０２５８】
図１１に示される実施形態で提供される通信デバイスは、具体的に、図４、図６、又は図８に示される実施形態における受信端であってよいことが留意されるべきである。メモリ１１０３に記憶されているプログラムを呼び出す場合に、プロセッサ１１０１は、図４、図６、又は図８に示される実施形態で提供される受信端側での方法を実行してよい。
【０２５９】
任意に、本願の実施形態は、通信システムを提供する。通信システムは、上記の実施形態のいずれか１つで記載される通信装置又は通信デバイスを含んでよい。
【０２６０】
全て又は一部の上記の実施形態は、上記の実施形態でソフトウェア、ハードウェア、ファームウェア、又はそれらの任意の組み合わせを使用することによって実施されてよい。ソフトウェアプログラムが実施形態を実施するために使用される場合に、全て又は一部の実施形態は、コンピュータプログラム製品の形で実施されてよい。コンピュータプログラム製品は、１つ以上のコンピュータ命令を含む。コンピュータ命令がコンピュータでロード及び実行される場合に、本願の実施形態に従うプロシージャ又は機能は、完全に又は部分的に生成される。コンピュータは、汎用コンピュータ、専用コンピュータ、コンピュータネットワーク、又は他のプログラム可能な装置であってよい。コンピュータ命令は、コンピュータ読み出し可能な記憶媒体に記憶されてよく、あるいは、１つのコンピュータ読み出し可能な媒体から他のコンピュータ読み出し可能な媒体へ伝送されてよい。例えば、コンピュータ命令は、１つのウェブサイト、コンピュータ、サーバ、又はデータセンターから他のウェブサイト、コンピュータ、サーバ、又はデータセンサへ有線（例えば、同軸ケーブル、光ファイバ、若しくはデジタル加入者回線（Digital  Subscriber  Line，ＤＳＬ））又は無線（例えば、赤外線、電波、若しくはマイクロ波）方式で伝送されてよい。コンピュータ読み出し可能な媒体は、コンピュータによってアクセス可能なあらゆる使用可能な媒体、又は１つ以上の使用可能な媒体を組み込むサーバ若しくはデータセンターなどのデータ記憶デバイスであってよい。使用可能な媒体は、磁気媒体（例えば、フロッピーディスク、ハードディスク、又は磁気テープ）、光学媒体（例えば、ＤＶＤ）、半導体媒体（例えば、ソリッド・ステート・ディスク（Solid  State  Disk，ＳＳＤ））、などであってよい。
【０２６１】
本願は、２０１８年７月６日付けで「COMMUNICATION  METHOD,  COMMUNICATION  APPARATUS,  AND  COMMUNICATION  DEVICE」と題されて中国特許庁に出願された中国特許出願第２０１８１０７３９８７２８号の優先権を主張する。なお、先の中国出願は、その全文を参照により本願に援用される。
【図１】
2021530168.tif 000003
【図２】
2021530168.tif 000004
【図３Ａ】
2021530168.tif 000005
【図３Ｂ】
2021530168.tif 000006
【図３Ｃ】
2021530168.tif 000007
【図３Ｄ】
2021530168.tif 000008
【図３Ｅ】
2021530168.tif 000009
【図３Ｆ】
2021530168.tif 000010
【図３Ｇ】
2021530168.tif 000011
【図３Ｈ】
2021530168.tif 000012
【図４】
2021530168.tif 000013
【図５Ａ】
2021530168.tif 000014
【図５Ｂ】
2021530168.tif 000015
【図５Ｃ】
2021530168.tif 000016
【図５Ｄ】
2021530168.tif 000017
【図６】
2021530168.tif 000018
【図７Ａ】
2021530168.tif 000019
【図７Ｂ】
2021530168.tif 000020
【図８】
2021530168.tif 000021
【図９】
2021530168.tif 000022
【図１０】
2021530168.tif 000023
【図１１】
2021530168.tif 000024
【手続補正書】
【提出日】令和3年1月15日(2021.1.15)
【手続補正１】
【補正対象書類名】特許請求の範囲
【補正対象項目名】全文
【補正方法】変更
【補正の内容】
【特許請求の範囲】
【請求項１】
通信方法であって、
プリアンブルを有する物理レイヤプロトコルデータユニット（ＰＰＤＵ）を生成することと、
前記ＰＰＤＵを送信することと
を有し、
前記プリアンブルは、レガシー物理レイヤプリアンブル及びニュー物理レイヤプリアンブルを有し、前記ニュー物理レイヤプリアンブルは、繰り返しフィールドを有し、前記繰り返しフィールドは、周波数領域において前記レガシー物理レイヤプリアンブルのプリセットフィールドとの前もってセットされたアウト・オブ・オーダー関係を有しているフィールドである、
方法。
【請求項２】
前記レガシー物理レイヤプリアンブルの前記プリセットフィールドの直交周波数分割多重化（ＯＦＤＭ）シンボルを生成する第１周波数領域処理プロセスは、インターリービング処理を有し、前記繰り返しフィールドのＯＦＤＭシンボルを生成する第２周波数領域処理プロセスは、インターリービング処理を有さず、あるいは、
前記第１周波数領域処理プロセスは、スクランブリング処理を有さず、前記第２周波数領域処理プロセスは、スクランブリング処理を有し、あるいは、
前記第１周波数領域処理プロセスは、データシンボルのアウト・オブ・オーダー処理を有さず、前記第２周波数領域処理プロセスは、データシンボルのアウト・オブ・オーダー処理を有する、
請求項１に記載の方法。
【請求項３】
前記アウト・オブ・オーダー処理は、次の
データサブキャリアで運ばれたデータシンボルに対して巡回シフトを実行することと、奇数番目及び偶数番目のデータサブキャリアで運ばれたデータシンボルを入れ替えることと、高周波及び低周波データサブキャリアサブセットで運ばれたデータシンボルを入れ替えることと
のうちのいずれか１つを有する、
請求項２に記載の方法。
【請求項４】
２位相偏移変調（ＢＰＳＫ）モードが、前記第２周波数領域処理プロセスにおけるコンステレーション点マッピングのために使用される、
請求項２又は３に記載の方法。
【請求項５】
前記レガシー物理レイヤプリアンブルは、複数の受信端によって復号化可能であり、前記ニュー物理レイヤプリアンブルは、前記複数の受信端の一部によって復号化可能である、
請求項１乃至４のうちいずれか一項に記載の方法。
【請求項６】
前記繰り返しフィールドのためのチャネル符号器へのビット入力は、周波数領域処理プロセスにおける前記レガシー物理レイヤプリアンブルの前記プリセットフィールドのための前記チャネル符号器へのビット入力と同じである、
請求項１乃至５のうちいずれか一項に記載の方法。
【請求項７】
前記レガシー物理レイヤプリアンブルの前記プリセットフィールドは、レガシー信号フィールド（Ｌ−ＳＩＧ）である、
請求項１乃至６のうちいずれか一項に記載の方法。
【請求項８】
前記繰り返しフィールドは、前記ニュー物理レイヤプリアンブルの１番目のフィールド又は２番目のフィールドである、
請求項１乃至７のうちいずれか一項に記載の方法。
【請求項９】
前記繰り返しフィールドは、前記ニュー物理レイヤプリアンブルの１番目のフィールドであり、該１番目のフィールド以外の前記ニュー物理レイヤプリアンブルのいずれかのフィールドは、コンステレーション点マッピングのために回転ＢＰＳＫモードを使用する、
請求項１乃至７のうちいずれか一項に記載の方法。
【請求項１０】
通信方法であって、
レガシー物理レイヤプリアンブル及びニュー物理レイヤプリアンブルを含むプリアンブルを有する物理レイヤプロトコルデータユニット（ＰＰＤＵ）を受信することと、
周波数領域において前記レガシー物理レイヤプリアンブルのプリセットフィールドとの前もってセットされたアウト・オブ・オーダー関係を有しているフィールドである繰り返しフィールドを前記ニュー物理レイヤプリアンブルが有するかどうかを判定することと、
前記ニュー物理レイヤプリアンブルが前記繰り返しフィールドを有する場合に、前記ＰＰＤＵがターゲットＰＰＤＵであると決定することと
を有する方法。
【請求項１１】
前記ニュー物理レイヤプリアンブルが繰り返しフィールドを有するかどうかを判定することは、
前記レガシー物理レイヤプリアンブルの前記プリセットフィールドに対して第１復号化処理プロセスを実行することによって取得される第１情報と、前記繰り返しフィールドに対して第２復号化処理プロセスを実行することによって取得される第２情報との間の類似性を決定することと、
前記類似性が前もってセットされた閾値以上である場合に、前記ニュー物理レイヤプリアンブルが前記繰り返しフィールドを有すると決定し、あるいは、
前記類似性が前もってセットされた閾値に満たない場合に、前記ニュー物理レイヤプリアンブルが前記繰り返しフィールドを有さないと決定することと
を有する、
請求項１０に記載の方法。
【請求項１２】
前記第１復号化処理プロセスは、デインターリービング処理を有し、前記第２復号化処理プロセスは、デインターリービング処理を有さず、あるいは、
前記第１復号化処理プロセスは、デスクランブリング処理を有さず、前記第２復号化処理プロセスは、デスクランブリング処理を有し、あるいは、
前記第１復号化処理プロセスは、データシンボルの非アウト・オブ・オーダー処理を有さず、前記第２復号化処理プロセスは、データシンボルの非アウト・オブ・オーダー処理を有する、
請求項１１に記載の方法。
【請求項１３】
データ処理の前記非アウト・オブ・オーダー処理は、次の
データサブキャリアで運ばれたデータシンボルに対して巡回シフトを実行することと、奇数番目及び偶数番目のデータサブキャリアで運ばれたデータシンボルを入れ替えることと、高周波及び低周波データサブキャリアサブセットで運ばれたデータシンボルを入れ替えることと
のうちのいずれか１つを有する、
請求項１２に記載の方法。
【請求項１４】
送信端に使用される通信装置であって、
プリアンブルを有する物理レイヤプロトコルデータユニット（ＰＰＤＵ）を生成するよう構成される生成ユニットと、
前記ＰＰＤＵを送信するよう構成される送信ユニットと
を有し、
前記プリアンブルは、レガシー物理レイヤプリアンブル及びニュー物理レイヤプリアンブルを有し、前記ニュー物理レイヤプリアンブルは、繰り返しフィールドを有し、前記繰り返しフィールドは、周波数領域において前記レガシー物理レイヤプリアンブルのプリセットフィールドとの前もってセットされたアウト・オブ・オーダー関係を有しているフィールドである、
通信装置。
【請求項１５】
前記レガシー物理レイヤプリアンブルの前記プリセットフィールドの直交周波数分割多重化（ＯＦＤＭ）シンボルを生成する第１周波数領域処理プロセスは、インターリービング処理を有し、前記繰り返しフィールドのＯＦＤＭシンボルを生成する第２周波数領域処理プロセスは、インターリービング処理を有さず、あるいは、
前記第１周波数領域処理プロセスは、スクランブリング処理を有さず、前記第２周波数領域処理プロセスは、スクランブリング処理を有し、あるいは、
前記第１周波数領域処理プロセスは、データシンボルのアウト・オブ・オーダー処理を有さず、前記第２周波数領域処理プロセスは、データシンボルのアウト・オブ・オーダー処理を有する、
請求項１４に記載の装置。
【請求項１６】
前記アウト・オブ・オーダー処理は、次の
データサブキャリアで運ばれたデータシンボルに対して巡回シフトを実行することと、奇数番目及び偶数番目のデータサブキャリアで運ばれたデータシンボルを入れ替えることと、高周波及び低周波データサブキャリアサブセットで運ばれたデータシンボルを入れ替えることと
のうちのいずれか１つを有する、
請求項１５に記載の装置。
【請求項１７】
２位相偏移変調（ＢＰＳＫ）モードが、前記第２周波数領域処理プロセスにおけるコンステレーション点マッピングのために使用される、
請求項１５又は１６に記載の装置。
【請求項１８】
前記レガシー物理レイヤプリアンブルは、複数の受信端によって復号化可能であり、前記ニュー物理レイヤプリアンブルは、前記複数の受信端の一部によって復号化可能である、
請求項１４乃至１７のうちいずれか一項に記載の装置。
【請求項１９】
前記繰り返しフィールドのためのチャネル符号器へのビット入力は、周波数領域処理プロセスにおける前記レガシー物理レイヤプリアンブルの前記プリセットフィールドのための前記チャネル符号器へのビット入力と同じである、
請求項１４乃至１８のうちいずれか一項に記載の装置。
【請求項２０】
前記レガシー物理レイヤプリアンブルの前記プリセットフィールドは、レガシー信号フィールド（Ｌ−ＳＩＧ）である、
請求項１４乃至１９のうちいずれか一項に記載の装置。
【請求項２１】
前記繰り返しフィールドは、前記ニュー物理レイヤプリアンブルの１番目のフィールド又は２番目のフィールドである、
請求項１４乃至２０のうちいずれか一項に記載の装置。
【請求項２２】
前記繰り返しフィールドは、前記ニュー物理レイヤプリアンブルの１番目のフィールドであり、該１番目のフィールド以外の前記ニュー物理レイヤプリアンブルのいずれかのフィールドは、コンステレーション点マッピングのために回転ＢＰＳＫモードを使用する、
請求項１４乃至２０のうちいずれか一項に記載の装置。
【請求項２３】
受信端に使用される通信装置であって、
レガシー物理レイヤプリアンブル及びニュー物理レイヤプリアンブルを含むプリアンブルを有する物理レイヤプロトコルデータユニット（ＰＰＤＵ）を受信するよう構成される受信ユニットと、
周波数領域において前記レガシー物理レイヤプリアンブルのプリセットフィールドとの前もってセットされたアウト・オブ・オーダー関係を有しているフィールドである繰り返しフィールドを前記ニュー物理レイヤプリアンブルが有するかどうかを判定し、前記ニュー物理レイヤプリアンブルが前記繰り返しフィールドを有する場合に、前記ＰＰＤＵがターゲットＰＰＤＵであると決定するよう構成される決定ユニットと
を有する通信装置。
【請求項２４】
前記決定ユニットは、
前記レガシー物理レイヤプリアンブルの前記プリセットフィールドに対して第１復号化処理プロセスを実行することによって取得される第１情報と、前記繰り返しフィールドに対して第２復号化処理プロセスを実行することによって取得される第２情報との間の類似性を決定し、
前記類似性が前もってセットされた閾値以上である場合に、前記ニュー物理レイヤプリアンブルが前記繰り返しフィールドを有すると決定し、あるいは、前記類似性が前もってセットされた閾値に満たない場合に、前記ニュー物理レイヤプリアンブルが前記繰り返しフィールドを有さないと決定する
よう特に構成される、
請求項２３に記載の装置。
【請求項２５】
前記第１復号化処理プロセスは、デインターリービング処理を有し、前記第２復号化処理プロセスは、デインターリービング処理を有さず、あるいは、
前記第１復号化処理プロセスは、デスクランブリング処理を有さず、前記第２復号化処理プロセスは、デスクランブリング処理を有し、あるいは、
前記第１復号化処理プロセスは、データシンボルの非アウト・オブ・オーダー処理を有さず、前記第２復号化処理プロセスは、データシンボルの非アウト・オブ・オーダー処理を有する、
請求項２４に記載の装置。
【請求項２６】
データ処理の前記非アウト・オブ・オーダー処理は、次の
データサブキャリアで運ばれたデータシンボルに対して巡回シフトを実行することと、奇数番目及び偶数番目のデータサブキャリアで運ばれたデータシンボルを入れ替えることと、高周波及び低周波データサブキャリアサブセットで運ばれたデータシンボルを入れ替えることと
のうちのいずれか１つを有する、
請求項２５に記載の装置。
【請求項２７】
コンピュータプログラムを記憶し、該コンピュータプログラムがプロセッサによって実行される場合に、請求項１乃至１３のうちいずれか一項に記載の方法が実施される、
記憶媒体。
【請求項２８】
コンピュータに、請求項１乃至１３のうちいずれか一項に記載の方法を実行させるプログラム。
【手続補正２】
【補正対象書類名】明細書
【補正対象項目名】０１０２
【補正方法】変更
【補正の内容】
【０１０２】
レガシー物理レイヤプリアンブルのプリセットフィールドが複数のＯＦＤＭシンボルを含む場合に、周波数領域においてレガシー物理レイヤプリアンブルのプリセットフィールドと繰り返しフィールドとの間には前もってセットされたアウト・オブ・オーダー関係が存在することが留意されるべきである。具体的に、周波数領域においてレガシー物理レイヤプリアンブルのプリセットフィールドの１つのＯＦＤＭシンボルと繰り返しフィールドの１つのＯＦＤＭシンボルとの間に前もってセットされたアウト・オブ・オーダー関係が存在してよく、あるいは、周波数領域においてレガシー物理レイヤプリアンブルのプリセットフィールドの複数のＯＦＤＭシンボルの夫々と繰り返しフィールドのＯＦＤＭシンボルの夫々との間に前もってセットされたアウト・オブ・オーダー関係が存在してよい。
【手続補正３】
【補正対象書類名】明細書
【補正対象項目名】０１０７
【補正方法】変更
【補正の内容】
【０１０７】
任意に、レガシー物理レイヤプリアンブルのプリセットフィールドのＯＦＤＭシンボルを生成する周波数領域処理プロセスは、第１周波数領域処理プロセスであると、繰り返しフィールドのＯＦＤＭシンボルを生成する周波数領域処理プロセスは、第２周波数領域処理プロセスであるとすれば、周波数領域においてレガシー物理レイヤプリアンブルのプリセットフィールドとの前もってセットされたアウト・オブ・オーダー関係を有している繰り返しフィールドは、次の３つの方法のうちのいずれか１つで生成され得る。
【手続補正４】
【補正対象書類名】明細書
【補正対象項目名】０１１０
【補正方法】変更
【補正の内容】
【０１１０】
任意に、第１周波数領域処理プロセスと第２周波数領域処理プロセスとの間の唯一の違いは、第１周波数領域処理プロセスはインターリービング処理を含むが、第２周波数領域処理プロセスはインターリービング処理を含まない点にあってよい。その点を除いて、他の処理は同じである。例えば、第１周波数領域処理プロセスにおけるコンステレーション点マッピングは、第２周波数領域処理プロセスにおけるコンステレーション点マッピングと同じである。他の例として、ＣＬ−ＳＩＧを生成する第２周波数領域処理プロセスで実行される符号化及びＩＦＦＴは、Ｌ−ＳＩＧを生成する第１周波数領域処理プロセスで実行される符号化及びＩＦＦＴと同じである。巡回シフト遅延（cyclic  shift  delay，ＣＳＤ）処理、巡回プリフィックス（cyclic  prefix，ＣＰ）処理、などが、ＩＦＦＴの後に更に行われてもよい。
【手続補正５】
【補正対象書類名】明細書
【補正対象項目名】０１１１
【補正方法】変更
【補正の内容】
【０１１１】
代替的に、任意に、第１周波数領域処理プロセスがインターリービング処理を含み、第２周波数領域処理プロセスがインターリービング処理を含まないとの違いに加えて、ＣＬ−ＳＩＧを生成する処理プロセスとＬ−ＳＩＧを生成する処理プロセスとの間には他の違いが存在してよい。例えば、第１周波数領域処理プロセスにおけるコンステレーション点マッピングは、第２周波数領域処理プロセスにおけるコンステレーション点マッピングとは異なる。
【手続補正６】
【補正対象書類名】明細書
【補正対象項目名】０１１５
【補正方法】変更
【補正の内容】
【０１１５】
代替的に、任意に、第１周波数領域処理プロセスがスクランブリング処理を含まず、第２周波数領域処理プロセスがスクランブリング処理を含むとの違いに加えて、ＣＬ−ＳＩＧを生成する処理プロセスとＬ−ＳＩＧを生成する処理プロセスとの間には他の違いが存在してよい。例えば、第１周波数領域処理プロセスにおけるコンステレーション点マッピングは、第２周波数領域処理プロセスにおけるコンステレーション点マッピングとは異なる。
【手続補正７】
【補正対象書類名】明細書
【補正対象項目名】０１２４
【補正方法】変更
【補正の内容】
【０１２４】
任意に、全てのデータサブキャリアを含む組は、データサブキャリアの周波数に基づいて、高周波データサブキャリアサブセットと、高周波データサブキャリアサブセットに対応する低周波データサブキャリアサブセットとに分けられてよい。高周波データサブキャリアサブセット内のデータサブキャリアの周波数は、高周波データサブキャリアサブセットに対応する低周波データサブキャリアサブセット内のデータサブキャリアの周波数よりも高い。高周波データサブキャリアサブセット内のデータサブキャリアで運ばれたデータシンボルと、高周波データサブキャリアサブセットに対応する低周波データサブキャリアサブセット内のデータサブキャリアで運ばれたデータシンボルとは、入れ替えられる。１つ以上の高周波データサブキャリアサブセットと、１つの高周波データサブキャリアサブセットに対応する１つの低周波データサブキャリアサブセットとが存在してよいことが留意されるべきである。例えば、４８個のデータサブキャリアが存在し、１つの高周波データサブキャリアサブセットが存在し、第１周波数領域処理プロセスにおいて、コンステレーション点マッピングの後の、低周波から高周波へと順位付けされた４８個のデータサブキャリアで運ばれたデータシンボルは、夫々、Ｄ１、Ｄ２，・・・，及びＤ４８である。高周波データサブキャリアサブセット内のデータサブキャリアで運ばれたデータシンボルと、低周波データサブキャリアサブセット内のデータサブキャリアで運ばれたデータシンボルとが入れ替えられた後、低周波から高周波へと順位付けされた４８個のデータサブキャリアで運ばれたデータシンボルは、夫々、Ｄ２５，Ｄ２６，・・・，Ｄ４８，Ｄ１，Ｄ２，・・・，及びＤ２４である。代替的に、チャネル符号化を通じて取得された符号化ビットとデータシンボルとの間に一対一の対応がある場合に、各符号化ビットは、１つのデータサブキャリアに対応してよい。代替的に、コンステレーション点マッピングの前に、チャネル符号化を通じて取得され、高周波及び低周波データサブキャリアに対応する符号化ビットが、入れ替えられてもよい。
【手続補正８】
【補正対象書類名】明細書
【補正対象項目名】０１８７
【補正方法】変更
【補正の内容】
【０１８７】
任意に、本願の方法は、図６に示される方法の実施形態と組み合わされてよい。具体的に、図６に示される実施形態において次世代ＰＰＤＵを示すために、ニュー物理レイヤプリアンブルの１番目のフィールドがレガシープリアンブルのプリセットフィールドと同じであり、かつ、１番目のフィールド以外のニュー物理レイヤプリアンブルのいずれかのフィールドがコンステレーション点マッピングのために回転ＢＰＳＫモードを使用することに基づいて、ニュー物理レイヤプリアンブルのプリセットフィールドのチェックビットの位置がプリセット位置であることは、次世代ＰＰＤＵを示すために更に使用されてよい。相応して、受信端は、ＰＰＤＵ内のニュー物理レイヤプリアンブルの１番目のフィールドがレガシープリアンブルのプリセットフィールドと同じであるかどうかと、１番目のフィールド以外のニュー物理レイヤプリアンブルのいずれかのフィールドがコンステレーション点マッピングのために回転ＢＰＳＫモードを使用しているかどうかとを判定する必要があり、また、ニュー物理レイヤプリアンブルのプリセットフィールドのチェックビットの位置がプリセット位置であるかどうかも判定する必要がある。ニュー物理レイヤプリアンブルの１番目のフィールドがレガシープリアンブルのプリセットフィールドと同じであり、１番目のフィールド以外のニュー物理レイヤプリアンブルのいずれかのフィールドがコンステレーション点マッピングのために回転ＢＰＳＫモードを使用しており、かつ、ニュー物理レイヤプリアンブルのプリセットフィールドのチェックビットの位置がプリセット位置である場合に、受信端は、ＰＰＤＵのフレーム構造が次世代ＰＰＤＵのフレーム構造であると決定する。
【国際調査報告】
2021530168.tif 000025
2021530168.tif 000026
2021530168.tif 000027
2021530168.tif 000028